(57)【特許請求の範囲】
【請求項１】
底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する包装箱であって、
スリーブ状部に切目線（Ｋ５）が周状に設けられ、
該切目線は、正面部における右側面側の辺部と左側面側の辺部間に形成された第１切目線（Ｋ１０）と、右側面部における正面側の辺部と背面側の辺部間に形成された第２切目線（Ｋ２０）と、左側面部における正面側の辺部と背面側の辺部間に形成された第３切目線（Ｋ３０）と、背面部における右側面側の辺部と左側面側の辺部間に形成された第４切目線（Ｋ４０）とを有し、
背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、背面部の右側面側上端の角部から形成された第１折れ線（Ｃ４２）と背面部の左側面側上端の角部から形成された第２折れ線（Ｃ４３）とが、第４切目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、第４切目線における左側領域と下背面部間の切目線（Ｋ４３）を構成する複数の切込みの配設方向が、直線状で、左側面部側にいくほど上側となるように形成され、第４切目線における右側領域と下背面部間の切目線（Ｋ４２）を構成する複数の切込みの配設方向が、直線状で、右側面部側にいくほど上側となるように形成され、
右側面部においては、第２切目線が、右側面部の背面側の辺部から形成された第２切目線主構成部（Ｋ２４）を有し、右側面部の第２切目線よりも上側の領域である上右側面部（２５）に、第３折れ線（Ｃ２１）が、右側面部の背面側上端の角部から第２切目線主構成部の背面側の端部から正面側の端部への途中位置に向けて形成され、第３折れ線は、下側にいくほど正面側となるように形成され、第２切目線主構成部を構成する複数の切込みの配設方向は、正面側にいくほど上側となるように形成され、
左側面部においては、第３切目線が、左側面部の背面側の辺部から形成された第３切目線主構成部（Ｋ３４）を有し、左側面部の第３切目線よりも上側の領域である上左側面部（３５）に、第４折れ線（Ｃ３１）が、左側面部の背面側上端の角部から第３切目線主構成部の背面側の端部から正面側の端部への途中位置に向けて形成され、第４折れ線は、下側にいくほど正面側となるように形成され、第３切目線主構成部を構成する複数の切込みの配設方向は、正面側にいくほど上側となるように形成され、
第２切目線主構成部における第２切目線主構成部と第３折れ線又は第３折れ線の延長線の接点から背面側の切目線である第１部分構成部（Ｋ２４−１）を構成する複数の切込みの配設方向が直線状であり、第１部分構成部を構成する複数の切込みの配設方向の右側面部の下辺に対する傾斜角度は、第４切目線における右側領域と下背面部間の切目線を構成する複数の切込みの配設方向の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）を構成する複数の切込みの配設方向が直線状であり、第２部分構成部を構成する複数の切込みの配設方向の左側面部の下辺に対する傾斜角度は、第４切目線における左側領域と下背面部間の切目線を構成する複数の切込みの配設方向の背面部の下辺に対する傾斜角度と略同一であり、
下背面部における該一対の切目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切目線における左側領域と下背面部間の切目線と右側領域と下背面部間の切目線とが破断し、上右側面部における第３折れ線よりも背面側の領域である第１背面側領域（２７）が第３折れ線を介して内側に回動して第１部分構成部が破断するとともに、上左側面部における第４折れ線よりも背面側の領域である第２背面側領域（３７）が第４折れ線を介して内側に回動して第２部分構成部が破断し、
さらに、中央領域の下端を上方にひっぱることにより、第２切目線主構成部における第１部分構成部よりも正面側の切目線が破断するとともに、第３切目線主構成部における第２部分構成部よりも正面側の切目線が破断し、
さらに、第２切目線における第２切目線主構成部よりも正面側の切目線と第３切目線における第３切目線主構成部よりも正面側の切目線を破断し、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする包装箱。
【請求項２】
底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する包装箱であって、
スリーブ状部に切目線（Ｋ５）が周状に設けられ、
該切目線は、正面部における右側面側の辺部と左側面側の辺部間に形成された第１切目線（Ｋ１０）と、右側面部における正面側の辺部と背面側の辺部間に形成された第２切目線（Ｋ２０）と、左側面部における正面側の辺部と背面側の辺部間に形成された第３切目線（Ｋ３０）と、背面部における右側面側の辺部と左側面側の辺部間に形成された第４切目線（Ｋ４０）とを有し、
背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、背面部の右側面側上端の角部である第１角部と第４切目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、第４切目線における左側領域と下背面部間の切目線（Ｋ４３）を構成する複数の切込みの配設方向が、直線状で、左側面部側にいくほど上側となるように形成され、第４切目線における右側領域と下背面部間の切目線（Ｋ４２）を構成する複数の切込みの配設方向が、直線状で、右側面部側にいくほど上側となるように形成され、
右側面部においては、第２切目線が、右側面部の背面側の辺部から形成された第２切目線主構成部（Ｋ２４）を有し、右側面部の第２切目線よりも上側の領域である上右側面部（２５）に、第３折れ線（Ｃ２１）が、右側面部の背面側上端の角部である第３角部と第２切目線主構成部の背面側の端部から正面側の端部への途中位置である第３途中位置の間の位置に、第３角部と第３途中位置とを結ぶ方向に形成され、第３折れ線は、下側にいくほど正面側となるように形成され、第２切目線主構成部を構成する複数の切込みの配設方向は、正面側にいくほど上側となるように形成され、
左側面部においては、第３切目線が、左側面部の背面側の辺部から形成された第３切目線主構成部（Ｋ３４）を有し、左側面部の第３切目線よりも上側の領域である上左側面部（３５）に、第４折れ線（Ｃ３１）が、左側面部の背面側上端の角部である第４角部と第３切目線主構成部の背面側の端部から正面側の端部への途中位置である第４途中位置の間の位置に、第４角部と第４途中位置とを結ぶ方向に形成され、第４折れ線は、下側にいくほど正面側となるように形成され、第３切目線主構成部を構成する複数の切込みの配設方向は、正面側にいくほど上側となるように形成され、
第２切目線主構成部における第２切目線主構成部と第３折れ線又は第３折れ線の延長線の接点から背面側の切目線である第１部分構成部（Ｋ２４−１）を構成する複数の切込みの配設方向が直線状であり、第１部分構成部を構成する複数の切込みの配設方向の右側面部の下辺に対する傾斜角度は、第４切目線における右側領域と下背面部間の切目線を構成する複数の切込みの配設方向の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）を構成する複数の切込みの配設方向が直線状であり、第２部分構成部を構成する複数の切込みの配設方向の左側面部の下辺に対する傾斜角度は、第４切目線における左側領域と下背面部間の切目線を構成する複数の切込みの配設方向の背面部の下辺に対する傾斜角度と略同一であり、
下背面部における該一対の切目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切目線における左側領域と下背面部間の切目線と右側領域と下背面部間の切目線とが破断し、上右側面部における第３折れ線よりも背面側の領域である第１背面側領域（２７）が第３折れ線を介して内側に回動して第１部分構成部が破断するとともに、上左側面部における第４折れ線よりも背面側の領域である第２背面側領域（３７）が第４折れ線を介して内側に回動して第２部分構成部が破断し、
さらに、中央領域の下端を上方にひっぱることにより、第２切目線主構成部における第１部分構成部よりも正面側の切目線が破断するとともに、第３切目線主構成部における第２部分構成部よりも正面側の切目線が破断することを特徴とする包装箱。
【請求項３】
第２切目線主構成部における第１部分構成部よりも正面側の切目線が破断するとともに、第３切目線主構成部における第２部分構成部よりも正面側の切目線が破断した後に、第２切目線における第２切目線主構成部よりも正面側の切目線と第３切目線における第３切目線主構成部よりも正面側の切目線を破断し、さらに、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする請求項２に記載の包装箱。
【請求項４】
第２切目線において、第２切目線主構成部の正面側の端部から右側面部の正面側の辺部まで形成された切目線（Ｋ２２）を構成する複数の切込みの配設方向が、正面側にいくほど下側となるように形成され、第３切目線において、第３切目線主構成部の正面側の端部から左側面部の正面側の辺部まで形成された切目線（Ｋ３２）を構成する複数の切込みの配設方向が、正面側にいくほど下側となるように形成されていることを特徴とする請求項１又は２又は３に記載の包装箱。
【請求項５】
第４切目線における左側領域と下背面部間の切目線（Ｋ４３）を構成する複数の切込みの配設方向と、第４切目線における右側領域と下背面部間の切目線（Ｋ４２）を構成する複数の切込みの配設方向が、左右線対称であることを特徴とする請求項１又は２又は３又は４に記載の包装箱。
【請求項６】
第２切目線主構成部における背面側の端部から正面側の端部までの前後方向の長さ（Ｌ２４）は、右側面部における背面側の端部から正面側の端部までの前後方向の長さ（Ｌ２０）の半分以上の長さを有し、
第３切目線主構成部における背面側の端部から正面側の端部までの前後方向の長さ（Ｌ３４）は、左側面部における背面側の端部から正面側の端部までの前後方向の長さ（Ｌ３０）の半分以上の長さを有することを特徴とする請求項１又は２又は３又は４又は５に記載の包装箱。
【請求項７】
第１部分構成部（Ｋ２４−１）の前後方向の長さは、第２切目線の第１部分構成部以外の部分の前後方向の長さの半分と略同一であり、
第２部分構成部（Ｋ３４−１）の前後方向の長さは、第３切目線の第２部分構成部以外の部分の前後方向の長さの半分と略同一であることを特徴とする請求項１又は２又は３又は４又は５又は６に記載の包装箱。
【請求項８】
第１切目線が、正面部の右側面側の辺部から形成された第１切目線右側面側構成部（Ｋ１２、Ｋ１４）と、正面部の左側面側の辺部から形成され、第１切目線右側面側構成部と左右線対称に形成された第１切目線左側面側構成部（Ｋ１３、Ｋ１５）と、第１切目線右側面側構成部と第１切目線左側面側構成部の間に連設された第１切目線中央構成部で、第１切目線右側面側構成部における正面部の右側面側の辺部側の端部とは反対側の端部と、第１切目線左側面側構成部における正面部の左側面側の辺部側の端部とは反対側の端部の間に連設された第１切目線中央構成部（Ｋ１１）とを有することを特徴とする請求項１又は２又は３又は４又は５又は６又は７に記載の包装箱。
【請求項９】
右側面部の上辺と第３折れ線間の角度（α１１）が、背面部と右側面部間の折れ線と第３折れ線間の角度（α１２）と略同一であり、左側面部の上辺と第４折れ線間の角度（α２１）が、背面部と左側面部間の折れ線と第４折れ線間の角度（α２２）と略同一であることを特徴とする請求項１又は２又は３又は４又は５又は６又は７又は８に記載の包装箱。
【請求項１０】
正面部における第１切目線よりも下側の領域である下正面部における上下方向の最小長さが、下背面部における上下方向の最大長さよりも短く形成され、
正面部における第１切目線よりも上側の領域である上正面部（１５）と上右側面部と上左側面部と上背面部と蓋部とからなる上側構成部（Ａ−２）を取り除いた状態で、下正面部と右側面部における第２切目線よりも下側の領域である下右側面部と左側面部における第３切目線よりも下側の領域である下左側面部と下背面部と底面部とからなる下側構成部に被収納物が収納された状態では、下正面部を手前側として陳列することを特徴とする請求項１又は２又は３又は４又は５又は６又は７又は８又は９に記載の包装箱。
【発明の詳細な説明】
【技術分野】
【０００１】
本発明は、包装箱に関するものであり、特に、包装箱の４つの側面に周設された切目線により包装箱の上部を取り除く機能を有するものに関するものである。
【背景技術】
【０００２】
従来より、包装箱の４つの側面に周設された切目線により包装箱の上部を取り除く機能を有する紙箱として、特許文献１に記載のものが存在する。
【０００３】
この特許文献１の紙箱３００においては、正面板１２と背面板１４の上端寄りに開封線１００が設けられ、左側面板１１と右側面板１３には、開封線１００と接続された易切断線２１が設けられ、左側面板１１と右側面板１３のそれぞれにおいて、易切断線２１からは２本の押込み補助線２２が上方に広がるように形成されている。
【０００４】
紙箱３００を開封するには、左側面板１１又は右側面板１３の易切断線２１の中央を指で押して、易切断線２１を破断し、易切断線２１で切断された左側面板１１又は右側面板１３の上の部分の下端に指を入れて、持ち上げるように引っ張ることにより、正面板１２と背面板１４の開封線１００が切断され、その後、右側面板１３又は左側面板１１の易切断線２１を切断する。
【０００５】
また、特許文献２には、紙製のケース１０において、前面に押圧分離部が設けられ、押圧分離部から蓋体上面の前辺に向かうにしたがってその間隔が徐々に広がる２本の膨出用折れ線８３が形成され、押圧分離部の部分を手前に引いたときに、膨出用折れ線で挟まれた部分が前方へ膨出変形可能とされている点が開示されている。特許文献２においては、押圧分離部５５に指を掛けた状態で、蓋体前面５１Ａを斜め上方に持ち上げると、前面切断線７２での切断が傾斜切断線７４に伝わって、傾斜切断線７４が切断されていく。
【先行技術文献】
【特許文献】
【０００６】
【特許文献１】特開２０１５−１３６５２号公報
【特許文献２】特開２００４−３４５６８５号公報
【発明の概要】
【発明が解決しようとする課題】
【０００７】
しかし、特許文献１の紙箱においては、紙箱３００を開封するには、左側面板１１又は右側面板１３の易切断線２１の中央を指で押し、易切断線２１を破断し、易切断線２１で切断された左側面板１１又は右側面板１３の上の部分の下端に指を入れて、持ち上げるように引っ張るが、２つの押込み補助線で挟まれた領域が内側に押された状態では、左側面板１１の下側領域との間に大きな間隔を形成することができず、２つの押込み補助線で挟まれた領域の下端に指を入れるのが困難であり、２つの押込み補助線で挟まれた領域と左側面板１１の下側領域との間に指を挟んでしまうおそれがあり、結果として、紙箱の上側部分を取り除く動作が困難となる。
【０００８】
また、特許文献２の紙製のケースにおいては、２本の膨出用折れ線の下端に指を入れるのは容易であるが、傾斜切断線７４の傾斜が緩やかな場合には、傾斜切断線７４の切断が困難であり、特に、特許文献１の場合のように、包装箱の４つの側面に切目線が周設されている場合には、２本の膨出用折れ線が形成された面と隣接する両側の面における切目線の切断が困難であり、結果として、包装箱の上側の部分を取り除く動作が困難となる。
【０００９】
そこで、本発明は、包装箱の４つの側面に周設された切目線により包装箱の上部を取り除く機能を有する包装箱において、包装箱の上側の部分を取り除く際に、最初に指を引っ掛ける操作を容易に行なうことができ、かつ、その後の切目線の切断を容易に行なうことができる包装箱を提供することを目的とするものである。
【課題を解決するための手段】
【００１０】
本発明は上記問題点を解決するために創作されたものであって、第１には、底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する包装箱であって、スリーブ状部に切目線（Ｋ５）が周状に設けられ、該切目線は、正面部における右側面側の辺部と左側面側の辺部間に形成された第１切目線（Ｋ１０）と、右側面部における正面側の辺部と背面側の辺部間に形成された第２切目線（Ｋ２０）と、左側面部における正面側の辺部と背面側の辺部間に形成された第３切目線（Ｋ３０）と、背面部における右側面側の辺部と左側面側の辺部間に形成された第４切目線（Ｋ４０）とを有し、背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、背面部の右側面側上端の角部から形成された第１折れ線（Ｃ４２）と背面部の左側面側上端の角部から形成された第２折れ線（Ｃ４３）とが、第４切目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、第４切目線における左側領域と下背面部間の切目線（Ｋ４３）を構成する複数の切込みの配設方向が、直線状で、左側面部側にいくほど上側となるように形成され、第４切目線における右側領域と下背面部間の切目線（Ｋ４２）を構成する複数の切込みの配設方向が、直線状で、右側面部側にいくほど上側となるように形成され、右側面部においては、第２切目線が、右側面部の背面側の辺部から形成された第２切目線主構成部（Ｋ２４）を有し、右側面部の第２切目線よりも上側の領域である上右側面部（２５）に、第３折れ線（Ｃ２１）が、右側面部の背面側上端の角部から第２切目線主構成部の背面側の端部から正面側の端部への途中位置に向けて形成され、第３折れ線は、下側にいくほど正面側となるように形成され、第２切目線主構成部を構成する複数の切込みの配設方向は、正面側にいくほど上側となるように形成され、左側面部においては、第３切目線が、左側面部の背面側の辺部から形成された第３切目線主構成部（Ｋ３４）を有し、左側面部の第３切目線よりも上側の領域である上左側面部（３５）に、第４折れ線（Ｃ３１）が、左側面部の背面側上端の角部から第３切目線主構成部の背面側の端部から正面側の端部への途中位置に向けて形成され、第４折れ線は、下側にいくほど正面側となるように形成され、第３切目線主構成部を構成する複数の切込みの配設方向は、正面側にいくほど上側となるように形成され、第２切目線主構成部における第２切目線主構成部と第３折れ線又は第３折れ線の延長線の接点から背面側の切目線である第１部分構成部（Ｋ２４−１）を構成する複数の切込みの配設方向が直線状であり、第１部分構成部を構成する複数の切込みの配設方向の右側面部の下辺に対する傾斜角度は、第４切目線における右側領域と下背面部間の切目線を構成する複数の切込みの配設方向の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）を構成する複数の切込みの配設方向が直線状であり、第２部分構成部を構成する複数の切込みの配設方向の左側面部の下辺に対する傾斜角度は、第４切目線における左側領域と下背面部間の切目線を構成する複数の切込みの配設方向の背面部の下辺に対する傾斜角度と略同一であり、下背面部における該一対の切目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切目線における左側領域と下背面部間の切目線と右側領域と下背面部間の切目線とが破断し、上右側面部における第３折れ線よりも背面側の領域である第１背面側領域（２７）が第３折れ線を介して内側に回動して第１部分構成部が破断するとともに、上左側面部における第４折れ線よりも背面側の領域である第２背面側領域（３７）が第４折れ線を介して内側に回動して第２部分構成部が破断し、さらに、中央領域の下端を上方にひっぱることにより、第２切目線主構成部における第１部分構成部よりも正面側の切目線が破断するとともに、第３切目線主構成部における第２部分構成部よりも正面側の切目線が破断し、さらに、第２切目線における第２切目線主構成部よりも正面側の切目線と第３切目線における第３切目線主構成部よりも正面側の切目線を破断し、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする。
【００１１】
第１の構成の包装箱によれば、下背面部における一対の切目線間の領域を押すことにより、中央領域の下側に指を入れるスペースが形成されるので、包装箱の上側構成部を取り除く際に、最初に指を引っ掛ける操作を容易に行なうことができる。
【００１２】
また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線主構成部における第１背面側領域と下右側面部間の切目線と第３切目線主構成部における第２背面側領域と下左側面部間の切目線の破断が容易であり、さらに、第２切目線主構成部と第３切目線主構成部とが正面側にいくに従い上側となるように形成されているので、第２切目線主構成部と第３切目線主構成部の破断が容易となる。
【００１３】
また、第４切目線における左側領域と下背面部間の切目線が、左側面部側にいくほど上側となるように形成され、第４切目線における右側領域と下背面部間の切目線が、右側面部側にいくほど上側となるように形成されているので、第４切目線における左側領域と下背面部間の切目線と第４切目線における右側領域と下背面部間の切目線とを破断しやすくすることができる。
【００１４】
また、第２切目線主構成部における第２切目線主構成部と第３折れ線又は第３折れ線の延長線の接点から背面側の切目線である第１部分構成部（Ｋ２４−１）の右側面部の下辺に対する傾斜角度は、第４切目線における右側領域と下背面部間の切目線の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）の左側面部の下辺に対する傾斜角度は、第４切目線における左側領域と下背面部間の切目線の背面部の下辺に対する傾斜角度と略同一であるので、第４切目線における右側領域と下背面部間の切目線か第１部分構成部にかけて極めてスムーズに破断することができ、また、第４切目線における左側領域と下背面部間の切目線から第２部分構成部にかけて極めてスムーズに破断することができる。
【００１８】
また、第２には、底面部（５０）と、底面部の各辺から立設し底面部に対して略直角をなすスリーブ状部で、正面部（１０）と、右側面部（２０）と、左側面部（３０）と、背面部（４０）とからなるスリーブ状部（５）と、スリーブ状部の上端から連設された蓋部（１２０、１３０）とを有する包装箱であって、スリーブ状部に切目線（Ｋ５）が周状に設けられ、該切目線は、正面部における右側面側の辺部と左側面側の辺部間に形成された第１切目線（Ｋ１０）と、右側面部における正面側の辺部と背面側の辺部間に形成された第２切目線（Ｋ２０）と、左側面部における正面側の辺部と背面側の辺部間に形成された第３切目線（Ｋ３０）と、背面部における右側面側の辺部と左側面側の辺部間に形成された第４切目線（Ｋ４０）とを有し、背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、背面部の右側面側上端の角部である第１角部と第４切目線の右側面側の端部から左側面側の端部までの途中位置である第１途中位置の間の位置に第１角部と第１途中位置とを結ぶ方向に第１折れ線（Ｃ４２）が形成されるとともに、背面部の左側面側上端の角部である第２角部と第４切目線の左側面側の端部から右側面側の端部までの途中位置で第１途中位置よりも左側面側である第２途中位置の間の位置に第２角部と第２途中位置とを結ぶ方向に第２折れ線（Ｃ４３）が形成され、第１折れ線（Ｃ４２）と第２折れ線（Ｃ４３）とが、第４切目線側にいくに従い第１折れ線と第２折れ線間の長さが短くなるように左右線対称に形成され、第１折れ線の下端と第２折れ線の下端は左右方向に間隔を介して設けられ、上背面部が、第１折れ線と第２折れ線間の領域である中央領域（４６）と、第１折れ線よりも右側面側の領域である右側領域（４７）と、第２折れ線よりも左側面側の領域である左側領域（４８）とを有し、第４切目線における左側領域と下背面部間の切目線（Ｋ４３）を構成する複数の切込みの配設方向が、直線状で、左側面部側にいくほど上側となるように形成され、第４切目線における右側領域と下背面部間の切目線（Ｋ４２）を構成する複数の切込みの配設方向が、直線状で、右側面部側にいくほど上側となるように形成され、右側面部においては、第２切目線が、右側面部の背面側の辺部から形成された第２切目線主構成部（Ｋ２４）を有し、右側面部の第２切目線よりも上側の領域である上右側面部（２５）に、第３折れ線（Ｃ２１）が、右側面部の背面側上端の角部である第３角部と第２切目線主構成部の背面側の端部から正面側の端部への途中位置である第３途中位置の間の位置に、第３角部と第３途中位置とを結ぶ方向に形成され、第３折れ線は、下側にいくほど正面側となるように形成され、第２切目線主構成部を構成する複数の切込みの配設方向は、正面側にいくほど上側となるように形成され、左側面部においては、第３切目線が、左側面部の背面側の辺部から形成された第３切目線主構成部（Ｋ３４）を有し、左側面部の第３切目線よりも上側の領域である上左側面部（３５）に、第４折れ線（Ｃ３１）が、左側面部の背面側上端の角部である第４角部と第３切目線主構成部の背面側の端部から正面側の端部への途中位置である第４途中位置の間の位置に、第４角部と第４途中位置とを結ぶ方向に形成され、第４折れ線は、下側にいくほど正面側となるように形成され、第３切目線主構成部を構成する複数の切込みの配設方向は、正面側にいくほど上側となるように形成され、第２切目線主構成部における第２切目線主構成部と第３折れ線又は第３折れ線の延長線の接点から背面側の切目線である第１部分構成部（Ｋ２４−１）を構成する複数の切込みの配設方向が直線状であり、第１部分構成部を構成する複数の切込みの配設方向の右側面部の下辺に対する傾斜角度は、第４切目線における右側領域と下背面部間の切目線を構成する複数の切込みの配設方向の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）を構成する複数の切込みの配設方向が直線状であり、第２部分構成部を構成する複数の切込みの配設方向の左側面部の下辺に対する傾斜角度は、第４切目線における左側領域と下背面部間の切目線を構成する複数の切込みの配設方向の背面部の下辺に対する傾斜角度と略同一であり、下背面部における該一対の切目線間の領域を外側から押して、中央領域の下端に指をひっかけ、中央領域の下端を外側にひっぱることにより、右側領域が中央領域に対して第１折れ線を介して折曲するとともに、左側領域が中央領域に対して第２折れ線を介して折曲して、第４切目線における左側領域と下背面部間の切目線と右側領域と下背面部間の切目線とが破断し、上右側面部における第３折れ線よりも背面側の領域である第１背面側領域（２７）が第３折れ線を介して内側に回動して第１部分構成部が破断するとともに、上左側面部における第４折れ線よりも背面側の領域である第２背面側領域（３７）が第４折れ線を介して内側に回動して第２部分構成部が破断し、さらに、中央領域の下端を上方にひっぱることにより、第２切目線主構成部における第１部分構成部よりも正面側の切目線が破断するとともに、第３切目線主構成部における第２部分構成部よりも正面側の切目線が破断することを特徴とする。
【００１９】
第２の構成の包装箱によれば、下背面部における一対の切目線間の領域を押すことにより、中央領域の下側に指を入れるスペースが形成されるので、包装箱の上側構成部を取り除く際に、最初に指を引っ掛ける操作を容易に行なうことができる。
【００２０】
また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線主構成部における第１背面側領域と下右側面部間の切目線と第３切目線主構成部における第２背面側領域と下左側面部間の切目線の破断が容易であり、さらに、第２切目線主構成部と第３切目線主構成部とが正面側にいくに従い上側となるように形成されているので、第２切目線主構成部と第３切目線主構成部の破断が容易となる。
【００２１】
また、第４切目線における左側領域と下背面部間の切目線が、左側面部側にいくほど上側となるように形成され、第４切目線における右側領域と下背面部間の切目線が、右側面部側にいくほど上側となるように形成されているので、第４切目線における左側領域と下背面部間の切目線と第４切目線における右側領域と下背面部間の切目線とを破断しやすくすることができる。
【００２２】
また、第２切目線主構成部における第２切目線主構成部と第３折れ線又は第３折れ線の延長線の接点から背面側の切目線である第１部分構成部（Ｋ２４−１）の右側面部の下辺に対する傾斜角度は、第４切目線における右側領域と下背面部間の切目線の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）の左側面部の下辺に対する傾斜角度は、第４切目線における左側領域と下背面部間の切目線の背面部の下辺に対する傾斜角度と略同一であるので、第４切目線における右側領域と下背面部間の切目線か第１部分構成部にかけて極めてスムーズに破断することができ、また、第４切目線における左側領域と下背面部間の切目線から第２部分構成部にかけて極めてスムーズに破断することができる。
【００２６】
また、第３には、上記第１又は第２の構成において、第２切目線主構成部における第１部分構成部よりも正面側の切目線が破断するとともに、第３切目線主構成部における第２部分構成部よりも正面側の切目線が破断した後に、第２切目線における第２切目線主構成部よりも正面側の切目線と第３切目線における第３切目線主構成部よりも正面側の切目線を破断し、さらに、第１切目線を破断することにより、正面部における第１切目線よりも上側の領域である上正面部（１５）と上右側面部と上左側面部と上背面部と蓋部とからなる上側構成部（Ａ−２）が取り除かれることを特徴とする。
【００２８】
また、第４には、上記第１から第３までのいずれかの構成において、第２切目線において、第２切目線主構成部の正面側の端部から右側面部の正面側の辺部まで形成された切目線（Ｋ２２）を構成する複数の切込みの配設方向が、正面側にいくほど下側となるように形成され、第３切目線において、第３切目線主構成部の正面側の端部から左側面部の正面側の辺部まで形成された切目線（Ｋ３２）を構成する複数の切込みの配設方向が、正面側にいくほど下側となるように形成されていることを特徴とする。
【００２９】
よって、上側構成部を正面側又は正面下側にひっぱることにより、第２切目線における第２切目線主構成部よりも正面側の切目線と第３切目線における第３切目線主構成部よりも正面側の切目線を破断することができる。
【００３０】
また、第５には、上記第１から第４までのいずれかの構成において、第４切目線における左側領域と下背面部間の切目線（Ｋ４３）を構成する複数の切込みの配設方向と、第４切目線における右側領域と下背面部間の切目線（Ｋ４２）を構成する複数の切込みの配設方向が、左右線対称であることを特徴とする。
【００３１】
また、第６には、上記第１から第５までのいずれかの構成において、第２切目線主構成部における背面側の端部から正面側の端部までの前後方向の長さ（Ｌ２４）は、右側面部における背面側の端部から正面側の端部までの前後方向の長さ（Ｌ２０）の半分以上の長さを有し、第３切目線主構成部における背面側の端部から正面側の端部までの前後方向の長さ（Ｌ３４）は、左側面部における背面側の端部から正面側の端部までの前後方向の長さ（Ｌ３０）の半分以上の長さを有することを特徴とする。
【００３２】
なお、第２切目線主構成部における背面側の端部から正面側の端部までの前後方向の長さ（Ｌ２４）は、右側面部における背面側の端部から正面側の端部までの前後方向の長さ（Ｌ２０）の２／３〜３／４としてもよく、また、第３切目線主構成部における背面側の端部から正面側の端部までの前後方向の長さ（Ｌ３４）は、左側面部における背面側の端部から正面側の端部までの前後方向の長さ（Ｌ３０）の２／３〜３／４としてもよい。
【００４３】
また、第７には、上記第１から第６までのいずれかの構成において、第１部分構成部（Ｋ２４−１）の前後方向の長さは、第２切目線の第１部分構成部以外の部分の前後方向の長さの半分と略同一であり、第２部分構成部（Ｋ３４−１）の前後方向の長さは、第３切目線の第２部分構成部以外の部分の前後方向の長さの半分と略同一であることを特徴とする。
【００４４】
よって、第１背面側領域が第３折れ線を介して回動しやすいので、第１背面側領域と下右側面部間の切目線を破断しやすく、また、第２背面側領域が第４折れ線を介して回動しやすいので、第２背面側領域と下左側面部間の切目線を破断しやすい。
【００４８】
また、第８には、上記第１から第７までのいずれかの構成において、第１切目線が、正面部の右側面側の辺部から形成された第１切目線右側面側構成部（Ｋ１２、Ｋ１４）と、正面部の左側面側の辺部から形成され、第１切目線右側面側構成部と左右対称に形成された第１切目線左側面側構成部（Ｋ１３、Ｋ１５）と、第１切目線右側面側構成部と第１切目線左側面側構成部の間に連設された第１切目線中央構成で、第１切目線右側面側構成部における正面部の右側面側の辺部側の端部とは反対側の端部と、第１切目線左側面側構成部における正面部の左側面側の辺部側の端部とは反対側の端部の間に連設された第１切目線構成部（Ｋ１１）とを有することを特徴とする。これにより、上側構成部を正面側又は正面下側にひっぱることにより、第１切目線を破断することができる。
【００４９】
なお、上記第８の構成を以下のようにしてもよい。すなわち、「第１切目線が、正面部の右側面側の辺部から形成された第１切目線右側面側構成部（Ｋ１２、Ｋ１４）と、正面部の左側面側の辺部から形成された第１切目線左側面側構成部（Ｋ１３、Ｋ１５）と、第１切目線右側面側構成部と第１切目線左側面側構成部の間に連設された第１切目線中央構成で、第１切目線右側面側構成部における正面部の右側面側の辺部側の端部とは反対側の端部と、第１切目線左側面側構成部における正面部の左側面側の辺部側の端部とは反対側の端部の間に連設された第１切目線構成部（Ｋ１１）とを有することを特徴とする。」としてもよい。
【００５０】
また、第９には、上記第１から第８までのいずれかの構成において、右側面部の上辺と第３折れ線間の角度（α１１）が、背面部と右側面部間の折れ線と第３折れ線間の角度（α１２）と略同一であり、左側面部の上辺と第４折れ線間の角度（α２１）が、背面部と左側面部間の折れ線と第４折れ線間の角度（α２２）と略同一であることを特徴とする。
【００５１】
また、第１０には、上記第１から第９までのいずれかの構成において、正面部における第１切目線よりも下側の領域である下正面部における上下方向の最小長さが、下背面部における上下方向の最大長さよりも短く形成され、正面部における第１切目線よりも上側の領域である上正面部（１５）と上右側面部と上左側面部と上背面部と蓋部とからなる上側構成部（Ａ−２）を取り除いた状態で、下正面部と下右側面部と下左側面部と下背面部と底面部とからなる下側構成部に被収納物が収納された状態では、下正面部を手前側として陳列することを特徴とする。
【発明の効果】
【００５４】
本発明に基づく請求項１、請求項２及びこれらの従属項における包装箱によれば、下背面部における一対の切目線間の領域を押すことにより、中央領域の下側に指を入れるスペースが形成されるので、包装箱の上側構成部を取り除く際に、最初に指を引っ掛ける操作を容易に行なうことができる。また、第１折れ線と第２折れ線とが設けられているので、第４切目線における左側領域と下背面部間の切目線と右側領域と下背面部間の切目線の破断が容易であり、また、第３折れ線と第４折れ線とが設けられているので、第２切目線主構成部における第１背面側領域と下右側面部間の切目線と第３切目線主構成部における第２背面側領域と下左側面部間の切目線の破断が容易であり、さらに、第２切目線主構成部と第３切目線主構成部とが正面側にいくに従い上側となるように形成されているので、第２切目線主構成部と第３切目線主構成部の破断が容易となる。
【００５５】
また、第４切目線における左側領域と下背面部間の切目線が、左側面部側にいくほど上側となるように形成され、第４切目線における右側領域と下背面部間の切目線が、右側面部側にいくほど上側となるように形成されているので、第４切目線における左側領域と下背面部間の切目線と第４切目線における右側領域と下背面部間の切目線とを破断しやすくすることができる。
【００５６】
また、第２切目線主構成部における第２切目線主構成部と第３折れ線又は第３折れ線の延長線の接点から背面側の切目線である第１部分構成部（Ｋ２４−１）の右側面部の下辺に対する傾斜角度は、第４切目線における右側領域と下背面部間の切目線の背面部の下辺に対する傾斜角度と略同一であるとともに、第３切目線主構成部における第３切目線主構成部と第４折れ線又は第４折れ線の延長線の接点から背面側の切目線である第２部分構成部（Ｋ３４−１）の左側面部の下辺に対する傾斜角度は、第４切目線における左側領域と下背面部間の切目線の背面部の下辺に対する傾斜角度と略同一であるので、第４切目線における右側領域と下背面部間の切目線か第１部分構成部にかけて極めてスムーズに破断することができ、また、第４切目線における左側領域と下背面部間の切目線から第２部分構成部にかけて極めてスムーズに破断することができる。
【図面の簡単な説明】
【００５７】
【図１】包装箱の左側前方斜視図である（実施例１）。
【図２】包装箱の右側前方斜視図である（実施例１）。
【図３】包装箱の左側後方斜視図である（実施例１）。
【図４】包装箱の右側後方斜視図である（実施例１）。
【図５】包装箱の展開図である（実施例１）。
【図６】図５の要部説明図である。
【図７】図５の要部説明図である。
【図８】切目線を構成する切込みを説明する説明図である（実施例１）。
【図９】切目線を構成する切込みを説明する説明図である（実施例１）。
【図１０】包装箱の使用方法を説明する右側後方斜視図である（実施例１）。
【図１１】包装箱の使用方法を説明する右側後方斜視図である（実施例１）。
【図１２】包装箱の使用方法を説明する右側後方斜視図である（実施例１）。
【図１３】包装箱の使用方法を説明する右側後方斜視図である（実施例１）。
【図１４】包装箱の使用方法を説明する右側後方斜視図である（実施例１）。
【図１５】包装箱の作用を説明するための説明図である。
【図１６】包装箱の展開図である（実施例２）。
【図１７】包装箱の展開図である（実施例３）。
【図１８】包装箱の右側後方斜視図である（実施例３）。
【図１９】包装箱の底面図である。
【図２０】包装箱の使用方法を説明する右側後方斜視図である（実施例３）。
【図２１】包装箱の展開図である（実施例４）。
【図２２】包装箱の展開図である（実施例５）。
【図２３】包装箱の展開図である（実施例６）。
【図２４】包装箱の展開図である（実施例７）。
【図２５】包装箱の展開図である（実施例８）。
【図２６】包装箱の展開図である（実施例９）。
【図２７】包装箱の展開図である（実施例１０）。
【図２８】包装箱の展開図である（実施例１１）。
【図２９】包装箱の展開図である（実施例１２）。
【発明を実施するための形態】
【００５８】
本発明においては、包装箱の４つの側面に周設された切目線により包装箱の上部を取り除く機能を有する包装箱において、包装箱の上側の部分を取り除く際に、最初に指を引っ掛ける操作を容易に行なうことができ、かつ、その後の切目線の切断を容易に行なうことができる包装箱を提供するという目的を以下のようにして実現した。
【実施例１】
【００５９】
本発明に基づく包装箱Ａは、図１〜図９に示されるように構成され、スリーブ状部５と、底面部５０と、フラップ部１１０、１４０と、蓋部１２０、１３０とを有している。
【００６０】
ここで、スリーブ状部５は、正面部１０と、正面部１０の右側面側の辺部から折れ線Ｃ２０を介して連設された右側面部２０と、正面部１０の左側面側の辺部から折れ線Ｃ３０を介して連設された左側面部３０と、右側面部２０の背面側の辺部から折れ線Ｃ４０を介して連設された背面部４０と、左側面部３０の背面側の辺部から折れ線Ｃ４９を介して連設された糊代部４９とを有している。折れ線Ｃ２０と折れ線Ｃ３０と折れ線Ｃ４０と折れ線Ｃ４９とは互いに平行となっている。
【００６１】
包装箱Ａは、１枚のシート状のブランク（具体的には段ボール（特に、両面段ボール）であり、厚紙等でもよい）により形成されている。なお、両面段ボールにおける中芯の段の方向は、図５に示す円内に示す方向（折れ線Ｃ２０、Ｃ３０、Ｃ４０と平行な方向）である（なお、中芯の段の方向は他の方向でもよい。）。
【００６２】
正面部１０と右側面部２０と左側面部３０と背面部４０は、方形状（具体的には、方形状の平板状）を呈し、正面部１０と背面部４０は、縦長の長方形状を呈している。
【００６３】
正面部１０と右側面部２０と左側面部３０と背面部４０における縦方向の長さは同一に形成されている。つまり、包装箱Ａの展開状態において、正面部１０の下辺と右側面部２０の下辺と左側面部３０の下辺と背面部４０の下辺とは、同一直線上に形成され、正面部１０の上辺と右側面部２０の上辺と左側面部３０の上辺と背面部４０の上辺とは、同一直線上に形成されている。
【００６４】
また、横方向には、右側面部２０と左側面部３０とは同一の長さに形成され、正面部１０と背面部４０とは略同一の長さに形成されている（具体的には、背面部４０の横方向の長さが正面部１０の横方向の長さよりも若干小さく形成されている）。
【００６５】
糊代部４９は、略台形形状に形成され、背面部４０の左側面側の端部領域の内側の面に接着されている。なお、糊代部４９は、左側面部３０から連設されているが、背面部４０の左側面側の端部から連設され、左側面部３０の背面側の端部に接着された構成としてもよい。また、糊代部４９は、背面部４０の左側面側の端部領域の外側の面に接着するものとしてもよい。
【００６６】
スリーブ状部５には、切目線（切断予定線としてもよい）Ｋ５が周状に設けられ（周設されとしてもよい）、図５に示すように、背面部４０の左側面側の端部から右側面部２０、正面部１０、左側面部３０を経て、糊代部４９の右側面側の端部にまで形成されている。つまり、切目線Ｋ５は、無端状（ループ状としてもよい）に形成されている。包装箱Ａにおいて、切目線Ｋ５を介して下側の部分が下側構成部Ａ−１となり、上側の部分が上側構成部Ａ−２となる。
【００６７】
切目線Ｋ５は、正面部１０に形成された切目線Ｋ１０と、右側面部２０に形成された切目線Ｋ２０と、左側面部３０に形成された切目線Ｋ３０と、背面部４０に形成された切目線Ｋ４０と、糊代部４９に形成された切目線Ｋ４９とを有している。切目線Ｋ２０は、切目線Ｋ１０の右側面側の端部から連続して形成され、切目線Ｋ３０は、切目線Ｋ１０の左側面側の端部から連続して形成され、切目線Ｋ４０は、切目線Ｋ２０の背面側の端部から連続して形成され、切目線Ｋ４９は、切目線Ｋ３０の背面側の端部から連続して形成されている。なお、糊代部４９が背面部４０に接着された状態では、切目線Ｋ４０の左側面側の端部と切目線Ｋ４９とは重なるので、切目線Ｋ４０は、切目線Ｋ３０の背面側の端部から連続して形成されているといえる。切目線Ｋ１０、Ｋ２０、Ｋ３０、Ｋ４０はいずれも切断予定線により形成されている。切目線Ｋ１０と切目線Ｋ２０と切目線Ｋ３０と切目線Ｋ４０とで切目線が周状に設けられている。
【００６８】
ここで、切目線（第１切目線）Ｋ１０は、左右方向に直線状に形成された切目線（第１切目線中央構成部）Ｋ１１と、切目線Ｋ１１の右側面側の端部から略上方に形成された切目線Ｋ１２と、切目線Ｋ１１の左側面側の端部から略上方に形成された切目線Ｋ１３と、切目線Ｋ１２の上端から正面部１０の右側面側の辺部に向けて形成された切目線Ｋ１４と、切目線Ｋ１３の上端から正面部１０の左側面側の辺部に向けて形成された切目線Ｋ１５とを有している。切目線Ｋ１２と切目線Ｋ１４とで第１切目線右側面側構成部となり、切目線Ｋ１３と切目線Ｋ１５とで第１切目線左側面側構成部となる。切目線Ｋ１２及び切目線Ｋ１４からなる切目線と、切目線Ｋ１３及び切目線Ｋ１５からなる切目線とは左右対称（つまり、左右線対称）に形成されている。また、切目線Ｋ１０は、全体として左右対称（つまり、左右線対称）に形成されている。
【００６９】
切目線Ｋ１１は、複数の直線状の切込みを間隔を介して配設してなり、ミシン目状に形成されている。また、切目線Ｋ１２は、切目線Ｋ１１の右側面側の端部から連続して形成され、切目線Ｋ１３は、切目線Ｋ１１の左側面側の端部から連続して形成され、切目線Ｋ１４は、切目線Ｋ１２の切目線Ｋ１１と反対側の端部から連続して形成され、切目線Ｋ１５は、切目線Ｋ１３の切目線Ｋ１１と反対側の端部から連続して形成されている。切目線Ｋ１０は、左右線対称に形成されている。
【００７０】
切目線Ｋ１１は、正面部１０の下辺のやや上側の位置に形成され、左右方向において正面部１０の中央位置に形成されている。
【００７１】
切目線Ｋ１２、Ｋ１４は、図８に示す構成の複数の切込み２１０を間隔を介して列状に配置することにより形成され、切目線Ｋ１３、Ｋ１５は、図９に示す構成の複数の切込み２２０を間隔を介して列状に配置することにより形成されている。
【００７２】
切目線Ｋ１２における複数の切込み２１０の配設方向は、切目線Ｋ１１側から切目線Ｋ１４側にいくに従い上向きに湾曲するように形成され、切目線Ｋ１３における複数の切込み２２０の配設方向は、切目線Ｋ１１側から切目線Ｋ１５側にいくに従い上向きに湾曲するように形成されている。つまり、切目線Ｋ１１、Ｋ１２、Ｋ１３により切目線が略Ｕ字状となるように形成されている。
【００７３】
また、切目線Ｋ１４における複数の切込み２１０の配設方向は、正面部１０の右側面側の辺部側にいくに従い上方となるように（つまり、斜め上方に傾斜して）直線状に形成され、切目線Ｋ１５における複数の切込み２２０の配設方向は、正面部１０の左側面側の辺部に向けて斜め上方に直線状に形成されている。
【００７４】
また、切目線（第２切目線）Ｋ２０は、切目線（第２切目線副構成部）Ｋ２２と、切目線（第２切目線主構成部）Ｋ２４とを有し、切目線Ｋ２２は、切目線Ｋ１４の右側面側の端部から連続して形成され（「連設され」としてもよい。他においても同じ。）、右側面部２０の正面側の辺部から背面側に行くに従い上側となる方向に形成され、切目線Ｋ２４は、切目線Ｋ２２の背面側の端部から連続して形成され、背面側にいくに従い下側となる方向に形成されている。
【００７５】
切目線Ｋ２２、Ｋ２４は、図８に示す構成の複数の切込み２１０を間隔を介して列状に配置することにより形成されている。
【００７６】
切目線Ｋ２２における複数の切込み２１０の配設方向は、右側面部２０の正面側の端部から背面側にいくに従い上方となるように（つまり、水平方向（例えば、右側面部２０の下辺の方向）に対して斜め上方に傾斜して）直線状に形成され、切目線Ｋ２４における複数の切込み２１０の配設方向は、切目線Ｋ２４の背面側の端部から背面側にいくに従い下方となるように（つまり、斜め下方に傾斜して）直線状に形成されている。つまり、切目線Ｋ２４は、背面側から正面側にいくに従い上方となるように（つまり、水平方向に対して斜め上方に傾斜して）直線状に形成されている。なお、右側面部２０の下辺に対する傾斜角度としては、切目線Ｋ２２が切目線Ｋ２４よりも大きく形成され、切目線Ｋ２４は、背面側から正面側に向けてなだらかな上向きとなっていて、切目線Ｋ２２は、正面側から背面側に向けて、切目線Ｋ２４よりも大きな角度で上向きとなっている。切目線Ｋ２２は、切目線Ｋ２４の正面側の端部から右側面部２０の正面側の辺部まで形成され、正面側にいくほど下側となるように形成されている。
【００７７】
なお、切目線Ｋ２４が背面側から正面側にいくほど上側となるように右側面部２０の下辺に対して傾斜しているので、当然、切目線Ｋ２４における下左側面部２２と背面側領域２７間の部分の切目線Ｋ２４−１も背面側から正面側にいくほど上側となるように傾斜している。また、切目線（第２切目線主構成部）Ｋ２４は、切目線Ｋ２４における折れ線Ｃ２１又は折れ線Ｃ２１の延長線との接点から正面側の範囲において、正面側にいくほど上側となるように形成されている。
【００７８】
切目線Ｋ２４の正面側の端部から背面側の端部までの前後方向の長さ（右側面部２０の下辺の方向の長さ）Ｌ２４は、切目線Ｋ２２の正面側の端部から背面側の端部までの前後方向の長さ（右側面部２０の下辺の方向の長さ）Ｌ２２よりも長く形成されている（つまり、長さＬ２４は、右側面部２０の背面側の端部から正面側の端部までの前後方向の長さＬ２０の半分以上の長さを有している）。なお、具体的には、長さＬ２２は、長さＬ２０の１／４〜１／３とする（つまり、長さＬ２４は、長さＬ２０の２／３〜３／４とする）。なお、長さＬ２４は、長さＬ２２の３〜４倍の長さに形成してもよい。
【００７９】
また、切目線Ｋ２４における下左側面部２２と背面側領域２７間の部分の切目線（第１部分構成部）Ｋ２４−１の前後方向の長さＬ２４−１は、長さＬ２０の１／３（略１／３としてもよい）とするのが好ましい。すなわち、切目線Ｋ２４−１の前後方向の長さは、切目線Ｋ２０の切目線Ｋ２４−１以外の部分の前後方向の長さの半分と同一（略同一としてもよい）である。つまり、長さＬ２４−１を、長さＬ２０の１／３（略１／３としてもよい）とすることにより、背面側領域２７が正面側領域２６に対して回動しやすく、切目線Ｋ２４−１を破断しやすい。切目線Ｋ２４−１は、切目線Ｋ２４の一部であり、切目線Ｋ２４と折れ線Ｃ２１の接点（折れ線Ｃ２１が切目線Ｋ２４と接していない場合には、折れ線Ｃ２１の延長線の切目線Ｋ２４との接点）から切目線Ｋ２４の背面側の端部までとなる。下左側面部２２、背面側領域２７、折れ線Ｃ２１については、後述する。
【００８０】
なお、包装箱Ａの展開状態においては、切目線Ｋ１４と切目線Ｋ２２とで、切込みＫ２１０が１つの直線状に配設されている。
【００８１】
また、切目線（第３切目線）Ｋ３０は、切目線（第３切目線副構成部）Ｋ３２と、切目線（第３切目線主構成部）Ｋ３４とを有し、切目線Ｋ３２は、切目線Ｋ１５の左側面側の端部から連続して形成され、左側面部３０の正面側の辺部から背面側に行くに従い上側となる方向に形成され、切目線Ｋ３４は、切目線Ｋ３２の背面側の端部から連続して形成され、背面側にいくに従い下側となる方向に形成されている。つまり、切目線Ｋ３０は、切目線Ｋ２０と左右対称に形成され（つまり、包装箱Ａの展開状態では、線対称に形成され）、切目線Ｋ３２は、切目線Ｋ２２と左右対称に形成され、切目線Ｋ３４は、切目線Ｋ２４と左右対称に形成されている。
【００８２】
切目線Ｋ３２、Ｋ３４は、図９に示す構成の複数の切込み２２０を間隔を介して列状に配置することにより形成されている。
【００８３】
切目線Ｋ３２における複数の切込み２２０の配設方向は、左側面部３０の正面側の端部から背面側にいくに従い上方となるように（つまり、斜め上方に傾斜して）直線状に形成され、切目線Ｋ３４における複数の切込み２２０の配設方向は、切目線Ｋ３２の背面側の端部から背面側にいくに従い下方となるように（つまり、斜め下方に傾斜して）直線状に形成されている。つまり、切目線Ｋ３４は、背面側から正面側にいくに従い上方となるように（つまり、斜め上方に傾斜して）直線状に形成されている。なお、左側面部３０の下辺に対する傾斜角度としては、切目線Ｋ３２が切目線Ｋ３４よりも大きく形成され、切目線Ｋ３４は、背面側から正面側に向けてなだらかな上向きとなっていて、切目線Ｋ３２は、正面側から背面側に向けて、切目線Ｋ３４よりも大きな角度で上向きとなっている。切目線Ｋ３２は、切目線Ｋ３４の正面側の端部から左側面部３０の正面側の辺部まで形成され、正面側にいくほど下側となるように形成されている。
【００８４】
なお、切目線Ｋ３４が背面側から正面側にいくほど上側となるように左側面部３０の下辺に対して傾斜しているので、当然、切目線Ｋ３４における下右側面部３２と背面側領域３７間の部分の切目線Ｋ３４−１も背面側から正面側にいくほど上側となるように傾斜している。また、切目線（第３切目線主構成部）Ｋ３４は、切目線Ｋ３４における折れ線Ｃ３１又は折れ線Ｃ３１の延長線との接点から正面側の範囲において、正面側にいくほど上側となるように形成されている。
【００８５】
切目線Ｋ３４の正面側の端部から背面側の端部までの前後方向の長さ（左側面部３０の下辺の方向の長さ）Ｌ３４は、切目線Ｋ３２の正面側の端部から背面側の端部までの前後方向の長さ（左側面部３０の下辺の方向の長さ）Ｌ３２よりも長く形成されている（つまり、長さＬ３４は、左側面部３０の背面側の端部から正面側の端部までの前後方向の長さＬ３０の半分以上の長さを有している）。なお、具体的には、長さＬ３２は、長さＬ３０の１／４〜１／３とする（つまり、長さＬ３４は、長さＬ３０の２／３〜３／４とする）。なお、長さＬ３４は、長さＬ３２の３〜４倍の長さに形成してもよい。
【００８６】
また、切目線Ｋ３４における下右側面部３２と背面側領域３７間の部分の切目線（第２部分構成部）Ｋ３４−１の前後方向の長さＬ３４−１は、長さＬ３０の１／３（略１／３としてもよい）とするのが好ましい。すなわち、切目線Ｋ３４−１の前後方向の長さは、切目線Ｋ３０の切目線Ｋ３４−１以外の部分の前後方向の長さの半分と同一（略同一としてもよい）である。つまり、長さＬ３４−１を、長さＬ３０の１／３（略１／３としてもよい）とすることにより、背面側領域３７が正面側領域３６に対して回動しやすく、切目線Ｋ３４−１を破断しやすい。切目線Ｋ３４−１は、切目線Ｋ３４の一部であり、切目線Ｋ３４と折れ線Ｃ３１の接点（折れ線Ｃ３１が切目線Ｋ３４と接していない場合には、折れ線Ｃ３１の延長線の切目線Ｋ３４との接点）から切目線Ｋ３４の背面側の端部までとなる。下左側面部３２、背面側領域３７、折れ線Ｃ３１については、後述する。
【００８７】
これにより、上側構成部Ａ−２を上側に引っ張ることにより、切目線Ｋ２０、Ｋ３０における前後方向の半分以上の長さを破断することができる。
【００８８】
なお、包装箱Ａの展開状態においては、切目線Ｋ１５と切目線Ｋ３２とで、切込みＫ２２０が１つの直線状に配設されている。
【００８９】
また、切目線（第４切目線）Ｋ４０は、左右方向に直線状に形成された切目線Ｋ４１と、切目線Ｋ４１の右側面側の端部から形成された切目線Ｋ４２と、切目線Ｋ４１の左側面側の端部から形成された切目線Ｋ４３とを有している。
【００９０】
切目線Ｋ４１は、複数の直線状の切込みを間隔を介して配設してなり、ミシン目状に形成されている。また、切目線Ｋ４２は、切目線Ｋ４１の右側面側の端部から連続して形成され、切目線Ｋ４３は、切目線Ｋ４１の左側面側の端部から連続して形成されている。切目線Ｋ４０は、左右線対称に形成されている。
【００９１】
切目線Ｋ４１は、背面部４０の上下方向における中央位置よりもやや上側の位置に形成され、左右方向において背面部４０の中央位置に形成されている。
【００９２】
切目線Ｋ４２は、図８に示す構成の複数の切込み２１０を間隔を介して列状に配置することにより形成され、切目線Ｋ４３は、図９に示す構成の複数の切込み２２０を間隔を介して列状に配置することにより形成されている。
【００９３】
切目線Ｋ４２における複数の切込み２１０の配設方向は、切目線Ｋ４１側から背面部４０の右側面側の端部（切目線Ｋ２４側）にいくに従い上側となるように（つまり、斜め上方に傾斜して）直線状に形成され、切目線Ｋ４３における複数の切込み２２０の配設方向は、切目線Ｋ４１側から背面部４０の左側面側の端部にいくに従い上側となるように（つまり、斜め上方に傾斜して）直線状に形成されている。つまり、切目線Ｋ４２、Ｋ４３は背面部４０の外側にいくほど上側となるように傾斜して形成されている。
【００９４】
なお、切目線Ｋ４２の背面部４０の下辺に対する傾斜角度は、切目線Ｋ２４の右側面部２０の下辺に対する傾斜角度と同一（略同一としてもよい）であり、包装箱Ａの展開状態においては、切目線Ｋ２４と切目線Ｋ４２とで切込み２１０が１つの直線状に配設されている。また、切目線Ｋ４３の背面部４０の下辺に対する傾斜角度は、切目線Ｋ３４の左側面部３０の下辺に対する傾斜角度と同一（略同一としてもよい）である。よって、隣接する切目線の傾斜角度が同一であるので、切目線Ｋ４２から切目線Ｋ２４にかけて極めてスムーズに破断することができ、また、切目線Ｋ４３から切目線Ｋ３４にかけて極めてスムーズに破断することができる。
【００９５】
また、切目線Ｋ４９は、糊代部４９に形成されていて、切目線Ｋ３４の背面側の端部から連続して形成され、直線状の切込み（連続した切込み）により形成され、切目線Ｋ４９は、左側面部３０側の端部から糊代部４９の先端側にいくほど下方となるように（つまり、斜め下方に傾斜して）形成されている。この切目線Ｋ４９は、切目線Ｋ４３の左側面側の端部の切込み２２０における左側面側の端部と一致して形成され、糊代部４９を背面部４０に接着した状態では、切目線Ｋ４９は、切目線Ｋ４３の左側面側の端部の切込み２２０における左側面側の端部とが重なり合っている。なお、切目線Ｋ４９を切込みではなく、切断予定線により形成してもよい。
【００９６】
また、切目線Ｋ４１からは一対の切目線Ｋ４４、Ｋ４５が左右両側に下方に向けて形成されている。つまり、切目線Ｋ４４は、切目線Ｋ４１の右側面側の端部近傍（切目線Ｋ４１の右側面側の端部としてもよい）から連設され、下方に向けて（背面部４０の下辺に対して直角の方向に）形成され、切目線Ｋ４５は、切目線Ｋ４１の左側面側の端部近傍（切目線Ｋ４１の左側面側の端部としてもよい）から連設され、下方に向けて（背面部４０の下辺に対して直角の方向に）形成されている。切目線Ｋ４４と切目線Ｋ４５とは同一の長さに形成され、互いに平行に形成され、ともに直線状の切込み（連続した切込み）により形成されている。また、切目線Ｋ４４の下端と切目線Ｋ４５の下端を結ぶ折れ線Ｃ４１が形成され、具体的には、背面部４０の内側の面に折れ線Ｃ４１に沿って罫線が形成されている。なお、切目線Ｋ４４、Ｋ４５を切込みではなく、切断予定線により形成してもよい。つまり、切目線Ｋ４４、Ｋ４５は、連続した切込みと切断予定線のいずれにより形成してもよい。
【００９７】
以上のように、切目線Ｋ４２の切目線Ｋ４１側の端部から切目線Ｋ２０、Ｋ１４を経て切目線Ｋ１２の切目線Ｋ１１側の端部までの連続した切目線Ｋ５−１が切込み２１０により形成され、また、切目線Ｋ４３の切目線Ｋ４１側の端部から切目線Ｋ３０、Ｋ１５を経て切目線Ｋ１３の切目線Ｋ１１側の端部までの連続した切目線Ｋ５−２が切込み２２０により形成されている。切目線Ｋ５−１における開封方向は、切目線Ｋ４２の切目線Ｋ４１側の端部から切目線Ｋ２０、Ｋ１４を経て切目線Ｋ１２の切目線Ｋ１１側の端部に至る方向であり、切目線Ｋ５−２の開封方向は、切目線Ｋ４３の切目線Ｋ４１側の端部から切目線Ｋ３０、Ｋ１５を経て切目線Ｋ１３の切目線Ｋ１１側の端部に至る方向である。
【００９８】
また、包装箱Ａにおいては、背面部４０に折れ線Ｃ４２、Ｃ４３が設けられ、右側面部２０には、折れ線Ｃ２１が設けられ、左側面部３０には、折れ線Ｃ３１が設けられている。
【００９９】
すなわち、折れ線（第１折れ線）Ｃ４２は、切目線Ｋ４１と切目線Ｋ４４の接点の位置から背面部４０の外側（右側面側）に向けて斜め上方に直線状に形成され、折れ線Ｃ４２の上側の端部は、背面部４０の右側面側上端の角部に位置している。具体的には、背面部４０の内側の面に折れ線Ｃ４２に沿って罫線が形成されている。
【０１００】
また、折れ線（第２折れ線）Ｃ４３は、切目線Ｋ４１と切目線Ｋ４５の接点の位置から背面部４０の外側（左側面側）に向けて斜め上方に直線状に形成され、折れ線Ｃ４３の上側の端部は、背面部４０の左側面側上端の角部に位置している。具体的には、背面部４０の内側の面に折れ線Ｃ４３に沿って罫線が形成されている。
【０１０１】
つまり、折れ線Ｃ４２は、背面部４０の右側面側上端の角部から形成され、折れ線Ｃ４３は、背面部４０の左側面側の上端の角部から形成され、切目線Ｋ４０側にいくに従い折れ線Ｃ４２と折れ線Ｃ４３間の長さが短くなるように形成されている。折れ線Ｃ４２に沿って形成された罫線は、背面部４０の右側面側上端の角部から切目線Ｋ４０まで形成されているが、該罫線の下端と切目線４０との間に間隔を設ける構成でもよく、該罫線の上端と背面部４０の右側面側上端の角部との間に間隔を設ける構成でもよい。つまり、罫線（折れ線Ｃ４２としてもよい）は、背面部４０の右側面側上端の角部である（第１角部）と切目線Ｋ４０の右側面側の端部から左側面側の端部までの途中位置（第１途中位置）（具体的には、切目線Ｋ４１と切目線Ｋ４４の接点の位置）の間の位置に第１角部と第１途中位置とを結ぶ方向に形成されていればよい。
【０１０２】
同様に、折れ線Ｃ４３に沿って形成された罫線は、背面部４０の左側面側上端の角部から切目線Ｋ４０まで形成されているが、該罫線の下端と切目線４０との間に間隔を設ける構成でもよく、該罫線の上端と背面部４０の左側面側上端の角部との間に間隔を設ける構成でもよい。つまり、罫線（折れ線Ｃ４３としてもよい）は、背面部４０の左側面側上端の角部である（第２角部）と切目線Ｋ４０の左側面側の端部から右側面側の端部までの途中位置で第１途中位置よりも左側面側の途中位置（第２途中位置）（具体的には、切目線Ｋ４１と切目線Ｋ４５の接点の位置）の間の位置に第２角部と第２途中位置とを結ぶ方向に形成されていればよい。
【０１０３】
また、折れ線（第３折れ線）Ｃ２１は、切目線Ｋ２４の途中位置（すなわち、背面側の端部から正面側の端部への途中位置）から背面側に向けて斜め上方に直線状に形成され、折れ線Ｃ２１の上側の端部は、右側面部２０の背面側上端の角部に位置している。つまり、折れ線Ｃ２１は、右側面部２０の背面側上端の角部から切目線Ｋ２４の途中位置に向けて形成されている。具体的には、右側面部２０の内側の面に折れ線Ｃ２１に沿って罫線が形成されている。該罫線は、右側面部２０の背面側上端の角部から切目線Ｋ２４の途中位置まで形成されているが、折れ線Ｃ２１の下端と切目線Ｋ２４との間に間隔を設けてもよく、折れ線Ｃ２１の上端と右側面部２０の背面側上端の角部との間に間隔を設けてもよい。
【０１０４】
つまり、該罫線の一方の端部は、右側面部２０の背面上側の角部に位置し、該罫線の他方の端部は、切目線Ｋ２４の途中位置に位置するが、罫線は、右側面部２０の背面上側の角部や切目線Ｋ２４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切目線Ｋ２４の途中位置に向かう途中位置まで形成されたものとしてもよい（つまり、罫線の切目線Ｋ２４の途中位置側の端部と切目線Ｋ２４の途中位置との間には間隔が形成されている）。つまり、罫線（折れ線Ｃ２１としてもよい）が、右側面部２０の背面上側の角部（第３角部）と切目線Ｋ２４の途中位置（第３途中位置）との間の位置に、右側面部２０の背面上側の角部と切目線Ｋ２４の途中位置を結ぶ方向に直線状に形成されていればよい。
【０１０５】
ここで、折れ線Ｃ２１と右側面部２０の上辺間の角度α１１と折れ線Ｃ２１と右側面部２０の背面側の辺部（折れ線Ｃ４０としてもよい）間の角度α１２は略同一であり、角度α１１は、４０〜４５度となっている。右側面部２０の上辺と背面側の辺部（折れ線Ｃ４０としてもよい）は直角をなしている。
【０１０６】
また、折れ線（第４折れ線）Ｃ３１は、切目線Ｋ３４の途中位置（すなわち、背面側の端部から正面側の端部への途中位置）から背面側に向けて斜め上方に直線状に形成され、折れ線Ｃ３１の上側の端部は、左側面部３０の背面側上端の角部に位置している。折れ線Ｃ３１は、折れ線Ｃ２１と左右対称に形成されている。つまり、折れ線Ｃ３１は、左側面部３０の背面側上端の角部から切目線Ｋ３４の途中位置に向けて形成されている。具体的には、左側面部３０の内側の面に折れ線Ｃ３１に沿って罫線が形成されている。該罫線は、左側面部３０の背面側上端の角部から切目線Ｋ３４の途中位置まで形成されているが、折れ線Ｃ３１の下端と切目線Ｋ３４との間に間隔を設けてもよく、折れ線Ｃ３１の上端と左側面部３０の背面側上端の角部との間に間隔を設けてもよい。
【０１０７】
つまり、該罫線の一方の端部は、左側面部３０の背面上側の角部に位置し、該罫線の他方の端部は、切目線Ｋ３４の途中位置に位置するが、罫線は、左側面部３０の背面上側の角部や切目線Ｋ３４の途中位置まで形成されていなくてもよく、罫線の端部が、該角部に向かう途中位置まで形成されたものとしてもよく（つまり、罫線の該角部側の端部と該角部との間には間隔が形成されている）、また、罫線の端部が、切目線Ｋ３４の途中位置に向かう途中位置まで形成されたものとしてもよい（つまり、罫線の切目線Ｋ３４の途中位置側の端部と切目線Ｋ３４の途中位置との間には間隔が形成されている）。つまり、罫線（折れ線Ｃ３１としてもよい）が、左側面部３０の背面上側の角部（第４角部）と切目線Ｋ３４の途中位置（第４途中位置）との間の位置に、左側面部３０の背面上側の角部と切目線Ｋ３４の途中位置を結ぶ方向に直線状に形成されていればよい。
【０１０８】
また、折れ線Ｃ４８は、糊代部４９の上側で左側面部３０側の角部から折れ線Ｃ４９に対して傾斜して直線状に形成され、折れ線Ｃ４８の折れ線Ｃ４９に対する角度は、折れ線Ｃ４３の背面部４０の左側面側の辺部に対する角度と同一に形成され、包装箱Ａを組み立てた状態では、折れ線Ｃ４８は、折れ線Ｃ４３に沿って設けられる。糊代部４９の内側の面には、折れ線Ｃ４８に沿って折曲げ用の罫線が形成されている。なお、折れ線Ｃ４８に沿った罫線は、糊代部４９の上側で左側面部３０側の角部まで形成されていなくてもよく、罫線と該角部間に間隔が形成されていてもよい。
【０１０９】
ここで、折れ線Ｃ３１と左側面部３０の上辺間の角度α２１と折れ線Ｃ３１と左側面部３０の背面側の辺部（折れ線Ｃ４９としてもよい）間の角度α２２は略同一であり、角度α２１は、４０〜４５度となっている。左側面部３０の上辺と背面側の辺部（折れ線Ｃ４９としてもよい）は直角をなしている。
【０１１０】
正面部１０における切目線Ｋ１０よりも下側の部分が下正面部１２となり、正面部１０における切目線Ｋ１０よりも上側の部分が上正面部１５となる。下正面部１２は、略Ｕ字状に形成され、左右両側を除く部分が低く形成されている。
【０１１１】
また、右側面部２０における切目線Ｋ２０よりも下側の部分が下右側面部２２となり、右側面部２０における切目線Ｋ２０よりも上側の部分が上右側面部２５となる。また、上右側面部２５において、折れ線Ｃ２１よりも正面側の領域が正面側領域（第１正面側領域）２６となり、折れ線Ｃ２１よりも背面側の領域が背面側領域（第１背面側領域）２７となる。つまり、上右側面部２５は、折れ線Ｃ２１を介して、正面側領域２６と背面側領域２７とに区画されている。
【０１１２】
また、左側面部３０における切目線Ｋ３０よりも下側の部分が下左側面部３２となり、左側面部３０における切目線Ｋ３０よりも上側の部分が上左側面部３５となる。また、上左側面部３５において、折れ線Ｃ３１よりも正面側の領域が正面側領域（第２正面側領域）３６となり、折れ線Ｃ３１よりも背面側の領域が背面側領域（第２背面側領域）３７となる。つまり、上左側面部３５は、折れ線Ｃ３１を介して、正面側領域３６と背面側領域３７とに区画されている。
【０１１３】
また、背面部４０における切目線Ｋ４０よりも下側の部分が下背面部４２となり、背面部４０における切目線Ｋ４０よりも上側の部分が上背面部４５となる。また、下背面部４２において切目線Ｋ４１、Ｋ４４、Ｋ４５と折れ線Ｃ４１により囲まれた領域が押さえ部４４となり、下背面部４２における押さえ部４４以外の領域が下背面部本体４３となる。また、上背面部４５において、折れ線Ｃ４２と折れ線Ｃ４３により挟まれた領域が中央領域４６となり、折れ線Ｃ４２よりも右側面側の領域が右側領域４７となり、折れ線Ｃ４３よりも左側面側の領域が左側領域４８となる。つまり、上背面部４５は、折れ線Ｃ４２と折れ線Ｃ４３を介して、中央領域４６と右側領域４７と左側領域４８とに区画されている。
【０１１４】
なお、折れ線Ｃ４２としての罫線の下端と切目線４０との間に間隔を設け、折れ線Ｃ４２としての罫線の上端と背面部４０の右側面側上端の角部との間に間隔を設ける構成とし、折れ線Ｃ４３としての罫線の下端と切目線４０との間に間隔を設け、折れ線Ｃ４３としての罫線の上端と背面部４０の左側面側上端の角部との間に間隔を設ける構成とした場合には、中央領域４６は、厳密には、「折れ線Ｃ４２又は折れ線Ｃ４２及びその延長線と折れ線Ｃ４３又は折れ線Ｃ４３及びその延長線の間の領域」といえるが、その場合も、中央領域４６は、折れ線Ｃ４２と折れ線Ｃ４３間の領域であるといえる。
【０１１５】
糊代部４９における切目線Ｋ４９よりも下側の部分が糊代下側部４９−１となり、糊代部４９における切目線Ｋ４９よりも上側の部分が糊代上側部４９−２となる。
【０１１６】
ここで、切込み２１０について説明すると、切込み２１０は、第１傾斜部２１２と、第１傾斜部２１２の端部から連設された第２傾斜部２１４と、第２傾斜部２１４の第１傾斜部２１２とは反対側の端部から連設された直線部２１６とを有している。第１傾斜部２１２と第２傾斜部２１４と直線部２１６とは、ともにブランクの表面から裏面まで貫通した切込みにより形成されている。
【０１１７】
ここで、第１傾斜部２１２は、直線部２１６の切目線開封方向（「切目線破断方向」としてもよい）において前側への延長線（仮想延長線）（第１仮想延長線）ｅ１６（直線部２１６の方向（開封方向、Ｘ１−Ｘ方向）としてもよい）に対して傾斜して形成され、第１傾斜部２１２と延長線ｅ１６間の角度（第２傾斜部２１４側の角度、開封方向における後側の角度）はα２１１で、角度α２１１は鋭角となっている。また、第１傾斜部２１２の延長線ｅ１６に対する直角方向（Ｙ１−Ｙ２方向）に対する角度はα２１４となっている（α２１４は０より大きい鋭角となっている（つまり、α２１４の大きさは、９０度−α２１１である）））。この第１傾斜部２１２は、直線状に形成されている。つまり、延長線ｅ１６は、直線部２１６の切目線開封方向と反対方向への仮想延長線である。
【０１１８】
第１傾斜部２１２の第２傾斜部２１４側とは反対側の端部（第１端部）ｍ１１が、第１傾斜部２１２の第２傾斜部２１４との接触点（第１接触点）ｍ１２よりも開封方向において前側（Ｘ１側）にある。つまり、端部ｍ１１が接触点ｍ１２よりも切目線開封方向において前側に位置するように延長線ｅ１６に対して傾斜している。なお、切目線開封方向は、Ｘ１側からＸ２側への方向であり、Ｘ１側が切目線開封方向において前側であり、Ｘ２側が切目線開封方向において後側である。
【０１１９】
また、端部ｍ１１と接触点ｍ１２とは、直線部２１６の延長線ｅ１６を介して両側に配置されている。つまり、延長線ｅ１６の一方の側（内側）に端部ｍ１１があり、他方の側（外側）に接触点ｍ１２がある。これにより、開封方向前側（Ｘ１側）の切込み２１０の直線部２１６の後端の端部ｍ１４からの直線部２１６の切目線開封方向への延長線（直線状の延長線）（仮想延長線）（第２仮想延長線）ｆ１６が、第１傾斜部２１２と交わるようになっている。つまり、ある切込み２１０の直線部２１６の延長線ｆ１６が、開封方向に隣接する切込み２１０の第１傾斜部２１２と交わる。
【０１２０】
また、端部ｍ１１と延長線ｅ１６間の長さＬ１１は、接触点ｍ１２と延長線ｅ１６間の長さＬ１２よりも長く形成され（Ｌ１１＞Ｌ１２）、これにより、第１傾斜部２１２と延長線ｅ１６の交点をｍ１６とした場合に、端部ｍ１１と交点ｍ１６間の距離は、接触点ｍ１２と交点ｍ１６間の距離よりも長く形成されている。
【０１２１】
また、第２傾斜部２１４は、延長線ｅ１６に対して傾斜して形成され、第２傾斜部２１４と延長線ｅ１６間の角度（開封方向における前側の角度）はα２１２であり、角度α２１２は鋭角となっている。角度α２１２と角度α２１１とは、延長線ｅ１６に沿って互いに対向している。また、第２傾斜部２１４と第１傾斜部２１２間の角度（端部ｍ１１と接触点（第２接触点）ｍ１３を結ぶ直線（仮想直線）１８側の角度（延長線ｅ１６側の角度としてもよい））はα２１３となっている。第２傾斜部２１４は、直線状に形成されている。
【０１２２】
また、第２傾斜部２１４の第１傾斜部２１２との接触点ｍ１２は、第２傾斜部２１４の直線部２１６との接触点ｍ１３よりも開封方向において前側（Ｘ１側）にある。
【０１２３】
また、直線部２１６は、接触点ｍ１３から切目線開封方向に沿って（つまり、Ｘ１−Ｘ２方向に）形成され、直線状に形成されている。つまり、直線部２１６は、接触点ｍ１３と端部（第２端部）ｍ１４間に直線状に切目線開封方向に形成されている。なお、接触点ｍ１３は、端部ｍ１４よりも切目線開封方向において前側にある。直線部２１６と第２傾斜部２１４とがなす角度α２１５（直線部２１６と第２傾斜部２１４とがなす角度で大きい方の角度）は、鈍角に形成されている。
【０１２４】
ここで、第１傾斜部２１２の長さ（第１傾斜部２１２に沿った長さ）と第２傾斜部２１４の長さ（第２傾斜部２１４に沿った長さ）と直線部２１６の長さ（直線部２１６に沿った長さ）とを比較すると、第２傾斜部２１４が最も長く形成され、第１傾斜部２１２が最も短く形成されている。
【０１２５】
また、角度α２１１と角度α２１２とを比較すると、角度α２１１が角度α２１２よりも大きく形成されている（α２１１＞α２１２）。例えば、角度α２１１は７０〜８５度で、角度α２１２は５〜３０度に形成されている（なお、角度α２１１、α２１２は他の角度でもよい）。なお、角度α２１１の角度の値は、角度α２１２の角度の値の２倍以上（より好適には３倍以上）の角度の値とするのが好ましい。
【０１２６】
また、角度α２１３は、直角以下の角度に形成され、例えば、７５〜９０度に形成されている（なお、角度α２１３は他の角度でもよい）。
【０１２７】
なお、切れ目線Ｋ５−１の各切込み２１０における直線部２１６は、同一線上に形成され、複数の切込み２１０からなる切目線が直線状に形成されている場合には、直線部２１６は同一直線上に形成され、複数の切込み２１０からなる切目線が曲線状に形成されている場合には、直線部２１６は同一曲線上に形成される。つまり、複数の切込み２１０からなる切目線が曲線状に形成されている場合には、直線部２１６は、同一曲線上に配置され、例えば、直線部２１６の一方の端部である接触点ｍ１３は、同一曲線状に配置され、直線部２１６の他方の端部である接触点ｍ１４は、同一曲線状に配置される。
【０１２８】
切目線Ｋ５−１の開封方向は、複数の切込み２１０における同じ箇所を結ぶ方向といえ、例えば、複数の切込み２１０における接触点ｍ１３を結ぶ方向が切目線Ｋ５−１の開封方向といえ、切目線Ｋ５−１が直線状に形成されている場合には、複数の接触点ｍ１３を結ぶ方向が直線状となり、切目線Ｋ５−１が曲線状に形成されている場合には、複数の接触点ｍ１３を結ぶ方向が曲線状となる。
【０１２９】
なお、切目線Ｋ５−１において、切込み２１０は同じ構成であり、隣接する切込み２１０間の間隔は、原則として同一に形成され、少なくとも複数の切込み２１０からなる切目線が直線状に形成されている場合には、隣接する切込み２１０間の間隔は、同一に形成されている。ただし、切目線Ｋ５−１において、屈曲する箇所においては、上記構成の切込み２１０が変形して形成され、切目線Ｋ１２と切目線Ｋ１４間の箇所や切目線Ｋ２２と切目線Ｋ２４間の箇所では、第２傾斜部２１４の端部から直線部２１６の代わりに略円弧状の切込みが形成されている。
【０１３０】
また、切込み２２０は、切込み２１０と線対称の構成であり、切込み２２０は、第１傾斜部２２２と、第１傾斜部２２２の端部から連設された第２傾斜部２２４と、第２傾斜部２２４の第１傾斜部２２２とは反対側の端部から連設された直線部２２６とを有している。第１傾斜部２２２と第２傾斜部２２４と直線部２２６とは、ともにブランクの表面から裏面まで貫通した切込みにより形成されている。
【０１３１】
ここで、第１傾斜部２２２は、直線部２２６の切目線開封方向と反対方向への延長線（仮想延長線）（第１仮想延長線）ｅ２６（直線部２２６の方向（開封方向、Ｘ１−Ｘ２方向）としてもよい）に対して傾斜して形成され、第１傾斜部２２２と延長線ｅ２６間の角度（鋭角の角度）（第２傾斜部２２４側の角度、開封方向における後側の角度）はα２２１で、第１傾斜部２２２の延長線ｅ２６に対する直角方向（Ｙ１−Ｙ２方向）に対する角度はα２２４となっている（α２２４は０より大きい鋭角である（つまり、α２２４の大きさは、９０度−α２２１である））。この第１傾斜部２２２は、直線状に形成されている。
【０１３２】
第１傾斜部２２２の第２傾斜部２２４側とは反対側の端部（第１端部）ｍ２１が、第１傾斜部２２２の第２傾斜部２２４との接触点（第１接触点）ｍ２２よりも開封方向において前側（Ｘ１側）にある。
【０１３３】
また、端部ｍ２１と接触点ｍ２２とは、直線部２２６の延長線ｅ２６を介して両側に配置されている。つまり、延長線ｅ２６の一方の側（内側）に端部ｍ２１があり、他方の側（外側）に接触点ｍ２２がある。これにより、開封方向前側（Ｘ１側）の切込み２２０の直線部２２６の後端の端部（第２端部）ｍ２４からの直線部２２６の切目線開封方向への延長線（直線状の延長線）（仮想延長線）（第２仮想延長線）ｆ２６が、第１傾斜部２２２と交わるようになっている。つまり、ある切込み２２０の直線部２２６の延長線ｆ２６が、開封方向に隣接する切込み２２０の第１傾斜部２２２と交わる。
【０１３４】
また、端部ｍ２１と延長線ｅ２６間の長さＬ２１は、接触点ｍ２２と延長線ｅ２６間の長さＬ２２よりも長く形成され（Ｌ２１＞Ｌ２２）、これにより、第１傾斜部２２２と延長線ｅ２６の交点をｍ１６とした場合に、端部ｍ１１と交点ｍ２６間の距離は、接触点ｍ２２と交点ｍ２６間の距離よりも長く形成されている。
【０１３５】
また、第２傾斜部２２４は、延長線ｅ２６に対して傾斜して形成され、第２傾斜部２２４と延長線ｅ２６間の角度（鋭角の角度）（開封方向における前側の角度）はα２２２であり、また、第２傾斜部２２４と第１傾斜部２２２間の角度（端部ｍ２１と接触点（第２接触点）ｍ２３を結ぶ直線（仮想直線）２８側の角度（延長線ｅ２６側の角度としてもよい））はα２２３となっている。第２傾斜部２２４は、直線状に形成されている。
【０１３６】
また、第２傾斜部２２４の第１傾斜部２２２との接触点ｍ２２は、第２傾斜部２２４の直線部２２６との接触点ｍ２３よりも開封方向において前側（Ｘ１側）にある。
【０１３７】
また、直線部２２６は、接触点ｍ２３から開封方向に向けて形成され、直線状に形成されている。直線部２２６と第２傾斜部２２４とがなす角度α２２５（直線部２２６と第２傾斜部２２４とがなす角度で大きい方の角度）は、鈍角に形成されている。
【０１３８】
ここで、第１傾斜部２２２の長さ（第１傾斜部２２２に沿った長さ）と第２傾斜部２２４の長さ（第２傾斜部２２４に沿った長さ）と直線部２２６の長さ（直線部２２６に沿った長さ）とを比較すると、第２傾斜部２２４が最も長く形成され、第１傾斜部２２２が最も短く形成されている。
【０１３９】
また、角度α２２１と角度α２２２とを比較すると、角度α２２１が角度α２２２よりも大きく形成されている（α２２１＞α２２２）。例えば、角度α２２１は７０〜８５度で、角度α２２２は５〜３０度に形成されている（なお、角度α２２１、α２２２は他の角度でもよい）。なお、角度α２２１の角度の値は、角度α２２２の角度の値の２倍以上（より好適には３倍以上）の角度の値とするのが好ましい。
【０１４０】
また、角度α２２３は、直角以下の角度に形成され、例えば、７５〜９０度に形成されている（なお、角度α２２３は他の角度でもよい）。
【０１４１】
なお、切目線Ｋ５−２の各切込み２２０における直線部２２６は、同一線上に形成され、複数の切込み２２０からなる切目線が直線状に形成されている場合には、直線部２２６は同一直線上に形成され、複数の切込み２２０からなる切目線が曲線状に形成されている場合には、直線部２２６は同一曲線上に形成される。
【０１４２】
なお、切目線Ｋ５−２において、切込み２２０は同じ構成であり、隣接する切込み２２０間の間隔は、原則として同一に形成され、少なくとも複数の切込み２２０からなる切目線が直線状に形成されている場合には、隣接する切込み２２０間の間隔は、同一に形成されている。ただし、切目線Ｋ５−２において、屈曲する箇所においては、上記構成の切込み２２０が変形して形成され、切目線Ｋ１３と切目線Ｋ１５間の箇所や切目線Ｋ３２と切目線Ｋ３４間の箇所では、第２傾斜部２２４の端部から直線部２２６の代わりに略円弧状の切込みが形成されている。
【０１４３】
ここで、切目線Ｋ５−１、Ｋ５−２においては、直線部２１６の後端の端部ｍ１４からの直線部２１６の延長線ｆ１６が、次の切込み２１０における第１傾斜部２１２と交わり（つまり、延長線ｅ１６の両側に端部ｍ１１と接触点ｍ１２がある）、また、直線部２２６の後端の端部ｍ２４からの直線部２２６の延長線ｆ２６が、次の切込み２２０における第１傾斜部２２２と交わる（つまり、延長線ｅ２６の両側に端部ｍ２１と接触点ｍ２２がある）ので、第１傾斜部２１２、２２２により破断力を広く受け止めることができる。よって、ブランクの切断面（つまり、包装箱Ａの上側構成部Ａ−２を除いた後の下側構成部Ａ−１の切断面）の見栄えをよくすることができる。また、直線部２１６、２２６からの破断力を第１傾斜部２１２、２２２により広く受け止め、第１傾斜部２１２、２２２以外に１つ前の切込み２１０、２０の直線部２１６、２２６からの破断力を直接受け止める切込みがないので（例えば、第２傾斜部２１４、２２４の前側の端部は、直線部２１６、２２６の延長線からずれているので、第２傾斜部２１４、２２４により直線部２１６、２２６からの破断力を直接受け止めることはない）、破断の際の感触を一定にできて円滑な破断を行なうことができる。また、剥離を生じるおそれが少ないので、その分少ない力で破断を行なうことができる。
【０１４４】
また、第１傾斜部２１２、２２２が開封方向に対する直角方向に対して傾斜しており、第１傾斜部２１２、２２２の第２傾斜部２１４、２２４側が開封方向後側（Ｘ２側）となっている（つまり、接触点ｍ１２が端部ｍ１１よりも後側にあり、接触点ｍ２２が端部ｍ２１よりも後側にある）ので、第１傾斜部２１２、２２２に伝えられた破断力をスムーズに第２傾斜部２１４、２２４に伝えることができる。よって、少ない力で破断を行なうことができる。
【０１４５】
また、角度α２１１が角度α２１２よりも大きく、角度α２２１が角度α２２２よりも大きい（α２１１＞α２１２、α２２１＞α２２２）ので、第１傾斜部２１２、２２２の延長線ｅ１６、ｅ２６に対する傾斜が大きく、第１傾斜部２１２、２２２からの破断力が第２傾斜部２１４、２２４に伝わりやすく、ブランクの紙材の剥離が起こりにくい。よって、ブランクの切断面（つまり、包装箱Ａの上側構成部Ａ−２を除いた後の下側構成部Ａ−１の切断面）の見栄えをよくすることができる。すなわち、α２１１＜α２１２、α２２１＜α２２２であるとすると、第１傾斜部２１２、２２２の延長線ｅ１６、ｅ２６に対する傾斜が小さくなり、第２傾斜部２１４、２２４の延長線ｅ１６、ｅ２６に対する傾斜が大きくなるので、第１傾斜部２１２、２２２からの破断力が第２傾斜部２１４、２２４に伝わるよりも、ブランクの紙材を剥離する方に使われてしまい、剥離が起こりやすくなるが、本実施例の場合には、そのようなおそれが小さい。
【０１４６】
また、角度α２１３、α２２３が直角以下に形成されているので、その分、第１傾斜部２１２、２２２の延長線ｅ１６、ｅ２６に対する角度α２１１、α２２１を大きくすることができて、１つ前の切込み２１０、２２０からの破断力を第１傾斜部２１２、２２２で受け止めやすく、また、角度α２１３、α２２３が直角以下に形成されているので、その分、直線部２１６、２２６の長さを確保することができる。すなわち、切目線における隣接する切込み間のピッチ（例えば、ある切込みの前端から次の切込みの前端までの長さ）は、ある程度決められており（Ｇ段やＦ段で約１０ｍｍ）、すると、角度α２１３、α２２３が大きくなると、その分直線部２１６、２２６の長さを確保できず、直線部２１６、２２６の長さが短いと、その分直線部２１６、２２６からの破断力が広い角度に拡散しやすいことから、直線部２１６、２２６の長さを確保することにより、直線部２１６、２２６からの破断力が拡散する角度を小さくして、確実に次の切込み２１０、２２０の第１傾斜部２１２、２２２に破断力を伝えることができる。よって、ブランクの紙材の剥離が少なく、また、少ない力で破断を行なうことができる。また、直線部２１６、２２６からの破断力を第１傾斜部２１２、２２２により広く受け止め、第１傾斜部２１２、２２２以外に直線部２１６、２２６からの破断力を直接受け止める切込みがないので、破断の際の感触を一定にできて円滑な破断を行なうことができる。
【０１４７】
また、長さＬ１１が長さＬ１２よりも長く形成され、長さＬ２１が長さＬ２２よりも長く形成されているので（Ｌ１１＞Ｌ１２、Ｌ２１＞Ｌ２２）、ブランクの切断面（つまり、包装箱Ａの上側構成部Ａ−２を除いた後の下側構成部Ａ−１の切断面）の凹凸を小さくすることができる。つまり、ブランクの切断面の凹凸の深さは、Ｌ１２、Ｌ２２により決まるので、Ｌ１２、Ｌ２２を小さくすることによりブランクの切断面の凹凸を小さくして、ブランクの切断面の見栄えをよくすることができる。
【０１４８】
また、長さＬ１１（Ｌ２１）を長さＬ１２（Ｌ２２）よりも長くするので、１つ前の切込み２１０、２０からの破断力を広く受け止めることができる。つまり、１つ前の切込み２１０、２０からの破断力においては、包装箱Ａにおける切目線５よりも上側の部分を上側に引っぱるので直線部２１６、２２６の延長線上よりも上側に向かう成分が多いが、長さＬ１１、Ｌ２１を長くするので、破断力を広く受け止めることが可能となる。よって、ブランクの紙材の剥離が少なく、また、少ない力で破断を行なうことができる。また、長さＬ１１（Ｌ２１）が長いので、直線部２１６、２２６からの破断力を第１傾斜部２１２、２２２により広く受け止め、第１傾斜部２１２、２２２以外に直線部２１６、２２６からの破断力を直接受け止める切込みがないので、破断の際の感触を一定にできて円滑な破断を行なうことができる。
【０１４９】
また、底面部５０は、第１片部６０と、第２片部７０と、第３片部８０と、第４片部９０とを有し、包装箱Ａの組立て状態においては、略方形状の外形を呈している。
【０１５０】
ここで、第１片部６０は、正面部１０の下辺から折れ線を介して連設され、先端側にいくほど幅狭となる略台形形状に形成され、その上面の一部が包装箱Ａの内底面の一部を形成している。この第１片部６０は、底面部５０の組立て状態においては、第４片部９０と点対称に形成されている。
【０１５１】
また、第２片部７０は、右側面部２０の下辺から折れ線を介して連設され、略長方形状に形成され、第２片部７０の上面の一部が包装箱Ａの内底面の一部を形成している。また、第２片部７０の角部（右側面部２０と背面部４０の境界位置の角部）からは第２片部７０の右側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、包装箱Ａを折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【０１５２】
また、第３片部８０は、左側面部３０の下辺から折れ線を介して連設され、底面部５０の組立て状態においては、第２片部７０と点対称に形成されている。すなわち、第３片部８０は、左側面部３０の下端から折れ線を介して連設され、略長方形状に形成され、第３片部８０の上面の一部が包装箱Ａの内底面の一部を形成している。また、第３片部８０の角部（左側面部３０と正面部１０の境界位置の角部）からは第３片部８０の左側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、包装箱Ａを折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【０１５３】
また、第４片部９０は、背面部４０の下辺から折れ線を介して連設され、先端側にいくほど幅狭となる略台形形状に形成され、その上面の一部が包装箱Ａの内底面の一部を形成している。
【０１５４】
また、フラップ部１１０は、正面部１０の上辺から折れ線Ｃ１１０を介して連設され、方形状（長方形状）を呈している。
【０１５５】
また、蓋部１２０は、右側面部２０の上辺から折れ線Ｃ１２０を介して連設され、方形状（長方形状）を呈している。
【０１５６】
また、蓋部１３０は、左側面部３０の上辺から折れ線Ｃ１３０を介して連設され、方形状（長方形状）を呈している。
【０１５７】
また、フラップ部１４０は、背面部４０の上辺から折れ線Ｃ１４０を介して連設され、方形状（長方形状）を呈している。
【０１５８】
フラップ部１１０の横方向の長さは正面部１０の横方向の長さよりも若干短く形成され（フラップ部１１０の左右両側の辺部は、正面部１０の左右両側の辺部よりもやや内側にある）、蓋部１２０の横方向の長さは右側面部２０の横方向の長さよりも若干短く形成され（蓋部１２０の前後両側の辺部は、右側面部２０の前後両側の辺部よりもやや内側にある）、蓋部１３０の横方向の長さは左側面部３０の横方向の長さよりも若干短く形成され（蓋部１３０の前後両側の辺部は、左側面部３０の前後両側の辺部よりもやや内側にある）、フラップ部１４０の横方向の長さは背面部４０の横方向の長さよりも若干短く形成され（フラップ部１４０の左右両側の辺部については、右側面側の辺部が、背面部４０の右側面側の辺部よりもやや内側にあり、左側面側の辺部が、背面部４０の左側面側の辺部の延長線上にある）、包装箱Ａの展開状態において、蓋部１３０とフラップ部１１０間と、フラップ部１１０とフラップ部１２０間と、蓋部１２０とフラップ部１４０間には、隙間が形成されている。
【０１５９】
フラップ部１１０、１４０と蓋部１２０、１３０の基端から先端までの長さは、同じ長さに形成されていて、該長さは、蓋部１２０を右側面部２０に対して内側に直角に折曲し、蓋部１３０を左側面部３０に対して内側に直角に折曲した際に、蓋部１２０の先端と蓋部１３０の先端とが当接する長さ（具体的には、正面部１０の横方向の長さの略半分の長さ）に形成されている。
【０１６０】
これら蓋部１２０、１３０とフラップ部１１０、１４０は、包装箱Ａの上面を開閉するものであり、特に、蓋部１２０、１３０を閉状態とすることにより包装箱Ａの上面が塞がれる。なお、蓋部１２０、１３０とフラップ部１１０、１４０は、予め上方に立設した状態になっていて、包装箱Ａの上方が開口した状態になっている。なお、蓋部１２０、１３０は、右側面部２０の上辺及び左側面部３０の上辺から連設されているが、スリーブ状部５を構成する各部における少なくとも１つの上辺から連設されていればよい。
【０１６１】
上記構成の包装箱Ａの使用方法について説明する。包装箱Ａは、上記のように構成されているので、底面部５を折り畳んだ状態（スリーブ状部５内に折り畳んだ状態）とし、正面部１０と左側面部３０間の角度を小さくし、背面部４０と右側面部２０間の角度を小さくして、正面部１０と右側面部２０とを全体で１枚の平板状とし、背面部４０と左側面部３０とを全体で１枚の平板状とすることにより、包装箱Ａを折り畳んだ状態とすることができ、包装箱Ａを折り畳んだ状態で、包装箱Ａの保管や運搬を行なうことができる。
【０１６２】
また、包装箱Ａを組み立てた状態では、図１〜図４に示す状態となり、底面部５０が略平板状となり、スリーブ状部５を構成する各部材（正面部１０、右側面部２０、左側面部３０、背面部４０）における隣接する部材は互いに直角となる。また、正面部１０と背面部４０とが互いに平行であり、右側面部２０と左側面部３０とが互いに平行となる。
【０１６３】
そして、包装箱Ａの上方から被収納物（商品）Ｇを収納する。なお、蓋部１２０、１３０とフラップ部１１０、１４０はスリーブ状部５に対して予め上方に立設した状態になっていて、包装箱Ａの上方が開口した状態になっているので、被収納物Ｇはそのまま包装箱Ａの上方から収納すればよい。その後、フラップ部１１０、１４０を内側に折曲させるとともに蓋部１２０、１３０を内側に折曲させて、蓋部１２０、１３０を閉状態とし、接着テープＴを正面部１０から上面を経て背面部４０にまで接着させることにより、図１０に示す状態とする。つまり、図１０に示す状態では、蓋部１２０、１３０が閉状態で固定されている。
【０１６４】
以上のようにして、蓋部１２０、１３０を閉状態にして被収納物を包装箱Ａに包装したら、被収納物Ｇを収納した包装箱Ａを被収納物Ａを陳列する場所に搬送する。
【０１６５】
包装箱Ａを陳列場所において、被収納物を陳列した状態とするには、以下に説明するように、包装箱Ａの上側構成部Ａ−２を取り除く。すなわち、背面部４０における押さえ部４４を押して押さえ部４４を折れ線Ｃ４１を介して内側に回動させる。つまり、押さえ部４４を内側に押すことにより、切目線Ｋ４１が破断し、押さえ部４４が折れ線Ｃ４１を介して回動する。すると、中央領域４６の下側に指を入れるスペースが形成されるので、中央領域４６の下側に一方の手の指を挿入して、中央領域４６の下端に指をひっかける。
【０１６６】
その後、中央領域４６の下端を外側にひっぱることにより、右側領域４７及び左側領域４８が中央領域４６側から徐々にひっぱられて、切目線Ｋ４２、Ｋ４３が破断する。中央領域４６の下端を外側にひっぱった状態では、折れ線Ｃ４２、Ｃ４３は外側から見て山折りの状態となる。つまり、右側領域４７が中央領域４６に対して折れ線Ｃ４２を介して内側に折曲するとともに、左側領域４８が中央領域４６に対して折れ線Ｃ４３を介して内側に折曲する。特に、折れ線Ｃ４２、Ｃ４３が設けられているので、右側領域４７の切目線Ｋ４２に沿った辺部と左側領域４８の切目線Ｋ４３に沿った辺部が前後方向に傾斜しやすく切目線Ｋ４２、Ｋ４３が容易となる。
【０１６７】
その後、中央領域４６の下端を外側にさらにひっぱることにより、切目線Ｋ２４における下右側面部２２と背面側領域２７間の部分の切目線Ｋ２４−１が背面側から破断していき、切目線Ｋ３４における下左側面部３２と背面側領域３７間の部分の切目線Ｋ３４−１が背面側から破断していく（図１１参照）。
【０１６８】
つまり、中央領域４６の下端を外側にひっぱることにより、背面側領域２７が折れ線Ｃ２１を介して内側に回動して下右側面部２２と背面側領域２７とが横方向に離間しようとするとともに、背面側領域３７が折れ線Ｃ３１を介して内側に回動して下左側面部３２と背面側領域３７とが横方向に離間しようとして、切目線Ｋ２４−１、Ｋ３４−１が破断する。その際、背面側領域２７が折れ線Ｃ２１を介して内側に回動し（つまり、背面側領域２７が正面側領域２６に対して折れ線Ｃ２１を介して内側に折曲する）、背面側領域３７が折れ線Ｃ３１を介して内側に回動する（つまり、背面側領域３７が正面側領域３６に対して折れ線Ｃ２１を介して内側に折曲する）ので、折れ線Ｃ２１と折れ線Ｃ３１は外側から見て山折りの状態となる。特に、折れ線Ｃ２１、Ｃ３１が設けられているので、背面側領域２７、３７が折れ線Ｃ２１、Ｃ３１を介して回動しやすく、切目線Ｋ２４−１、Ｋ３４−１を破断しやすくすることができる。また、折れ線Ｃ２１における角度α１１と角度α１２が略同一であり、折れ線Ｃ３１における角度α２１と角度α２２とが略同一であるので、背面側領域２７、３７の折れ線Ｃ２１、Ｃ３１を介した回動が容易であり、これによっても切目線Ｋ２４−１、Ｋ３４−１を破断しやすくすることができる。
【０１６９】
なお、切目線Ｋ４２、Ｋ４３と切目線Ｋ２４−１、Ｋ３４−１は中央領域４６の下端を外側にひっぱることにより破断されるので、実際には、中央領域４６の下端を外側にひっぱるという１つの動作により、切目線Ｋ４２、Ｋ４３から切目線Ｋ２４−１、Ｋ３４−１まで（切目線Ｋ２４−１、Ｋ３４−１の正面側の端部まで）を破断させることができる。つまり、下背面部４２における一対の切目線Ｋ４４、Ｋ４６間の領域である押さえ部４４を外側から押して、中央領域４６の下端に指をひっかけ、中央領域４６の下端を外側にひっぱることにより、左側領域４７と下背面部４２間の切目線Ｋ４２と右側領域４８と下背面部４２間の切目線Ｋ４３とが破断し、上右側面部２５における折れ線Ｃ２１よりも背面側の領域である背面側領域２７が折れ線Ｃ２１を介して内側に回動して切目線Ｋ２４−１（切目線Ｋ２４における背面側領域２７と下右側面部２２間の切目線）が破断するとともに、上左側面部３５における折れ線Ｃ３１よりも背面側の領域である背面側領域３７が折れ線Ｃ３１を介して内側に回動して切目線Ｋ３４−１（切目線Ｋ３４における背面側領域３７と下左側面部３２間の切目線）が破断する。破断の順序としては、中央領域４６の下端を外側にひっぱることにより切目線Ｋ４２、Ｋ４３が内側から破断し、その後、切目線Ｋ２４−１、Ｋ３４−１が背面側から破断する。
【０１７０】
なお、切目線Ｋ２４−１、Ｋ３４−１を破断する際に、中央領域４６の下端を外側にさらにひっぱるとともに、中央領域４６を上方に引き上げる動作を行なうことにより、下右側面部２２と背面側領域２７とが縦方向に離間しようとするとともに、下左側面部３２と背面側領域３７とが縦方向に離間しようとするので、切目線Ｋ２４−１、Ｋ３４−１が破断していく。つまり、横方向の離間動作のみならず縦方向の離間動作を得ることができるので、切目線Ｋ２４−１、Ｋ３４−１を破断しやすくすることができる。
【０１７１】
その後、図１２に示すように、中央領域４６を持つ手を上方に引き上げることにより、切目線Ｋ２４、Ｋ３４が正面側に向けて破断していく。つまり、切目線Ｋ２４における下右側面部２２と正面側領域２６間の部分の切目線Ｋ２４−２と、切目線Ｋ３４における下左側面部３２と正面側領域３６間の部分の切目線Ｋ３４−２とを正面側の端部位置まで破断していく。その際、図１２に示すように、他方の手で下側構成部Ａ−１の背面側の箇所を押さえた状態とするのが好ましい。つまり、左手で押さえる場合には、図１２に示すように、下背面部４２と下右側面部２２の角部の上端を押さえ、右手で押さえる場合（この場合は、中央領域４６を左手で引き上げる）には、下背面部４２と下左側面部３２の角部の上端を押さえる。
【０１７２】
切目線Ｋ２４は、切目線Ｋ２４−１と切目線Ｋ２４−２とから構成され、切目線Ｋ３４は、切目線Ｋ３４−１と切目線Ｋ３４−２とから構成されている。
【０１７３】
切目線Ｋ２４、Ｋ３４を正面側に破断していく際に、切目線Ｋ２４、Ｋ３４が正面側にいくに従い上方となるように水平方向に対して傾斜して形成されているので、切目線Ｋ２４、Ｋ３４を破断しやすくすることができる。つまり、切目線Ｋ２４、Ｋ３４が正面側に向けて上方に形成されているので、上側構成部Ａ−２の背面側の端部を持ち上げる動作で切目線Ｋ２４、Ｋ３４を破断でき、上側構成部Ａ−２の背面側の端部を持ち上げる動作は力を入れやすく、また、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。つまり、破断箇所に掛かる力Ｆの方向を鉛直方向（水平方向に対する直角方向）とすると（中央領域４６を上方に引き上げるので、破断箇所に掛かる力Ｆの方向を鉛直方向（水平方向に対する直角方向）となる）、破断箇所に掛かる力Ｆの方向と破断方向とがなす角度αは鋭角となり、図１５（ａ）に示すように、破断箇所に掛かる力Ｆは、破断方向と直角方向の成分Ｆ１と、破断方向への成分Ｆ２とに分けられ、成分Ｆ１のみならず成分Ｆ２が存在するので、破断が容易となる。この場合と比較して、切目線の方向が水平方向の場合には、図１５（ｂ）のように、破断箇所に掛かる力Ｆの方向と破断方向とがなす角度αが直角となり、破断方向に直角の力のみとなり、破断方向への力の成分がないため、図１５（ａ）の場合に比べて破断が困難となる。また、切目線の方向が破断方向に向けて下降している場合には、図１５（ｃ）のように、破断箇所に掛かる力Ｆの方向と破断方向とがなす角度αが鈍角となり、破断箇所に掛かる力Ｆは、破断方向と直角方向の成分Ｆ１と破断方向と反対方向の成分Ｆ２に分けられるため、図１５（ｂ）の場合に比べてさらに破断が困難となる。なお、図１５においては、切目線を模式的に直線により示している。
【０１７４】
なお、切目線Ｋ４２における複数の切込み２１０の配設方向は、切目線Ｋ４１側から背面部４０の左側面側の端部（切目線Ｋ２４側）にいくに従い上側となるように斜め上方に傾斜しており、切目線Ｋ４３における複数の切込み２２０の配設方向は、切目線Ｋ４１側から背面部４０の右側面側の端部にいくに従い上側となるように斜め上方に傾斜しているので、切目線Ｋ２４、Ｋ３４の場合と同じ理由で破断しやすいといえる。つまり、中央領域４６の下端を外側にひっぱることにより、中央領域４６は背面部４０の上辺を中心に回動するので、中央領域４６の下端は上下方向では上側にひっぱられ、中央領域４６の下端が上側にひっぱられるに伴い、左側領域４７と右側領域４８の下端も上側にひっぱられるが、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。
【０１７５】
切目線Ｋ２４、Ｋ３４の正面側の端部位置にまで破断したら、中央領域４６を正面側斜め上方に引き上げることにより、上側構成部Ａ−２が切目線Ｋ２２、Ｋ３２の正面側の端部位置を中心に回動しながら切目線Ｋ２２、Ｋ３２が破断されるので、その後、上側構成部Ａ−２をさらに正面側（又は正面下側）にひっぱることにより、切目線Ｋ１４、Ｋ１５が破断され、その後、切目線Ｋ１２、Ｋ１３が破断されて、最後に切目線Ｋ１１が破断されて、上側構成部Ａ−２が下側構成部Ａ−１と分離される。
【０１７６】
上側構成部Ａ−２を取り外した状態は、図１３、図１４に示すようになり、下側構成部Ａ−１に被収納物Ｇが収納された状態となるので、この状態で、被収納物Ｇを陳列する。
【０１７７】
なお、下正面部１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０１７８】
なお、包装箱Ａでは、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０１７９】
以上のように、本実施例の包装箱Ａによれば、押さえ部４４を押すことにより、中央領域４６の下側に指を入れるスペースが形成されるので、包装箱Ａの上側構成部Ａ−２を取り除く際に、最初に指を引っ掛ける操作を容易に行なうことができる。
【０１８０】
また、上記のように、折れ線Ｃ４２、Ｃ４３が設けられているので、切目線Ｋ４２、Ｋ４３の破断が容易であり、折れ線Ｃ２１、Ｃ３１が設けられているので、切目線Ｋ２４−１、Ｋ３４−１の破断が容易となり、中央領域４６の下端を外側にひっぱるという１つの動作により、切目線Ｋ４２、Ｋ４３から切目線Ｋ２４−１、Ｋ３４−１までを破断させることができる。また、切目線Ｋ２４、Ｋ３４が正面側にいくに従い上方となるように水平方向に対して傾斜して形成されているので、切目線Ｋ２４、Ｋ３４の破断が容易とすることができる。以上のようにして、最初に指を引っ掛ける操作の後の切目線の切断を容易に行なうことができる。
【０１８１】
なお、上記の説明において、切目線Ｋ２４は、背面側から正面側にいくに従い上方となるように直線状に形成されているとしたが、背面側から正面側にいくに従い上方となるように曲線状に形成してもよく（例えば、正面側に向けて傾斜角度が大きくなるように円弧状に形成する）、同様に、切目線Ｋ３４は、背面側から正面側にいくに従い上方となるように直線状に形成されているとしたが、背面側から正面側にいくに従い上方となるように曲線状に形成してもよい（例えば、正面側に向けて傾斜角度が大きくなるように円弧状に形成する）。なお、この点を実施例２の切目線Ｋ２４’、Ｋ３４’に適用してもよい。
【０１８２】
また、切目線Ｋ２４は直線状に形成されているとしたが、切目線Ｋ２４−１と切目線Ｋ２４−２の境界位置（折れ線Ｃ２１の切目線Ｋ２４側の端部位置）で屈曲した構成としてもよく、切目線Ｋ２４−１は、背面側から正面側にいくに従い上方となる構成でなくてもよく、例えば、切目線Ｋ２４−１を水平方向に形成してもよい。同様に、切目線Ｋ３４は直線状に形成されているとしたが、切目線Ｋ３４−１と切目線Ｋ３４−２の境界位置（折れ線Ｃ３１の切目線Ｋ３４側の端部位置）で屈曲した構成としてもよく、切目線Ｋ３４−１は、背面側から正面側にいくに従い上方となる構成でなくてもよく、例えば、切目線Ｋ３４−１を水平方向に形成してもよい。なお、この点を実施例２の切目線Ｋ２４’、Ｋ３４’に適用してもよい。
【０１８３】
また、切目線Ｋ４２、Ｋ４３は背面部４０の外側にいくほど上側となるように傾斜して形成されているとしたが、水平方向（背面部４０の下辺と平行な方向）に形成してもよい。なお、この点を実施例２の切目線Ｋ４２’、Ｋ４３’に適用してもよい。
【０１８４】
また、切目線Ｋ２０は、切目線Ｋ２２と切目線Ｋ２４とを有しているが、切目線Ｋ２２の代わりに切目線Ｋ２４を右側面部２０の正面側の端部にまで延長させた構成としてもよく、切目線Ｋ３０は、切目線Ｋ３２と切目線Ｋ３４とを有しているが、切目線Ｋ３２の代わりに切目線Ｋ３４を左側面部３０の正面側の端部にまで延長させた構成としてもよい。つまり、切目線Ｋ２０が右側面部２０の背面側の端部から正面側の端部にまで正面側にいくほど上側となるように形成され、切目線Ｋ３０が左側面部３０の背面側の端部から正面側の端部にまで正面側にいくほど上側となるように形成されるようにしてもよい。その場合には、切目線Ｋ２０、Ｋ３０が直線状としてもよく曲線状としてもよい。なお、この点を実施例２の切目線Ｋ２０’、Ｋ３０’に適用してもよい。
【実施例２】
【０１８５】
上記の説明において、包装箱Ａにおいては、スリーブ状部５に切目線Ｋ５が形成され、切目線Ｋ５は、切目線Ｋ１０、Ｋ４１、Ｋ４９を除き、切込み２１０又は切込み２２０により形成されているものとしたが、図１６に示す包装箱Ｂのように、略への字状の切込み又は略への字状と線対称の形状の切込みに形成したものであってもよい。すなわち、切目線Ｋ４２’の切目線Ｋ４１’側の端部から切目線Ｋ２０’、Ｋ１４’を経て切目線Ｋ１２’の切目線Ｋ１１’側の端部までの連続した切目線Ｋ５−１’が切込み２１０’により形成され、また、切目線Ｋ４３’の切目線Ｋ４１’側の端部から切目線Ｋ３０’、Ｋ１５’を経て切目線Ｋ１３’の切目線Ｋ１１’側の端部までの連続した切目線Ｋ５−２’が切込み２２０’により形成され、切込み２１０’は、切目線を構成する切込みとして従来から一般的な略への字状の切込みであり、切込み２２０’は、切込み２１０’と線対称の形状の切込みであり、切込み２１０’と切込み２２０’とは線対称に形成されている。
【０１８６】
また、切目線Ｋ４１’は、左右方向の中央の直線状の切込みの両側に切込み２１０’と切込み２２０’が形成されている。
【０１８７】
つまり、切目線Ｋ５’は、切目線Ｋ１０’、Ｋ２０’、Ｋ３０’、Ｋ４０’により形成され、切目線Ｋ１０’は、切目線Ｋ１１’、Ｋ１２’、Ｋ１３’、Ｋ１４’、Ｋ１５’により形成され、切目線Ｋ２０’は、切目線Ｋ２２’、Ｋ２４’により形成され、切目線Ｋ３０’は、切目線Ｋ３２’、Ｋ３４’により形成され、切目線Ｋ４０’は、切目線Ｋ４１’、Ｋ４２’、Ｋ４３’により形成されている。切目線Ｋ２４における下右側面部２２と背面側領域２７間の部分の切目線が切目線Ｋ２４−１であり、切目線Ｋ３４における下左側面部３２と背面側領域３７間の部分の切目線が切目線Ｋ３４−１である。
【０１８８】
図１６に示す包装箱Ｂにおいて、切目線Ｋ５’の構成が異なる以外は、実施例１の包装箱Ａと同様の構成であり、包装箱Ｂの使用方法も実施例１の包装箱Ａと同様であるので、詳しい説明を省略する。
【０１８９】
包装箱Ｂにおいても、押さえ部４４を押すことにより、中央領域４６の下側に指を入れるスペースが形成されるので、包装箱Ａの上側構成部Ａ−２を取り除く際に、最初に指を引っ掛ける操作を容易に行なうことができる。
【０１９０】
また、上記のように、折れ線Ｃ４２、Ｃ４３が設けられているので、切目線Ｋ４２’、Ｋ４３’の破断が容易であり、折れ線Ｃ２１、Ｃ３１が設けられているので、切目線Ｋ２４−１’、Ｋ３４−１’の破断が容易となり、さらに、切目線Ｋ２４’、Ｋ３４’が正面側にいくに従い上方となるように水平方向に対して傾斜して形成されているので、切目線Ｋ２４’、Ｋ３４’の破断が容易とすることができる。
【０１９１】
なお、上記実施例１、実施例２においては、スリーブ状部５が、左側面部３０、正面部１０、右側面部２０、背面部４０の順に折れ線を介して連設され、左側面部３０と背面部４０間に糊代部４９が設けられているが、これには限られず、糊代部の位置は、スリーブ状部５を構成する互いに隣接する部材間の任意の位置であればよい。
【０１９２】
また、スリーブ状部５は、４つの部材が折れ線を介して順に連設された構成であるとしたが、これには限られず、方形状の底面部の各辺から折れ線を介して連設され、スリーブ状部を構成する各部における互いに隣接する部材は糊代部等により接続することにより全体としてスリーブ状を形成するものとしてもよい。
【０１９３】
また、上記の説明では、実施例１では、切目線Ｋ５を構成する切込みが切込み２１０、２２０であり、実施例２では、略への字状の切込み及びそれと線対称の切込みであるとしたが、切目線Ｋ５を構成する切込みを他の形状の切込みとしてもよい。
【実施例３】
【０１９４】
次に、実施例３の包装箱Ｃは、図１７〜図１９に示すように構成され、実施例１や実施例２の包装箱と略同様の構成であるが、主として以下の点が異なる。
【０１９５】
すなわち、切目線Ｋ５において、切目線Ｋ２０が、上側に膨出した略円弧状に形成され、第２切目線主構成部としての切目線Ｋ２４は、切目線Ｋ２０における背面部４０側の端部から切目線Ｋ２０の頂部（切目線Ｋ２０における最上端の箇所）までの部分であり、第２切目線副構成部としての切目線Ｋ２２は、切目線Ｋ２０の頂部から正面部１０側の端部までとなる。
【０１９６】
なお、実施例１、実施例２の場合と同様に、切目線Ｋ２４において、下右側面部２２と背面側領域２７間の部分が切目線Ｋ２４−１となり、切目線Ｋ２４において、切目線Ｋ２４における下右側面部２２と正面側領域２６間の部分が切目線Ｋ２４−２となる。
【０１９７】
つまり、切目線Ｋ２４は、背面側から正面側にいくに従い上方となるように曲線状に形成され、正面側にいくに従い、右側面部２０の底面部側の辺部に対する傾斜角度が小さくなっている（つまり、該曲線状をなす曲線における接線の右側面部２０の底面部側の辺部に対する角度が、正面側にいくに従い小さくなる）。
【０１９８】
また、切目線Ｋ２２は、背面側から正面側にいくに従い下方となるように曲線状に形成され、正面側にいくに従い、右側面部２０の底面部側の辺部に対する傾斜角度が大きくなっている（つまり、該曲線状をなす曲線における接線の右側面部２０の底面部側の辺部に対する角度が、正面側にいくに従い大きくなる）。
【０１９９】
切目線Ｋ２４の前後方向の長さは、右側面部２０の前後方向の長さの半分（略半分としてもよい）であり、切目線Ｋ２２の前後方向の長さは、右側面部２０の前後方向の長さの半分（略半分としてもよい）となっている。
【０２００】
また、実施例１、実施例２の場合と同様に、切目線Ｋ２４−１の前後方向の長さは、右側面部２０の前後方向の長さの略１／３となっている。
【０２０１】
また、切目線Ｋ３０は、切目線Ｋ２０と対称に形成され（包装箱Ｃの組立て状態では、面対称、包装箱Ｃの展開状態では、線対称に形成されている）、切目線Ｋ３０は、第３切目線主構成部としての切目線Ｋ３４と、第３切目線副構成部としての切目線径３２とを有している。また、、切目線Ｋ３４において、下左側面部３２と背面側領域３７間の部分が切目線Ｋ３４−１となり、切目線Ｋ３４において、切目線Ｋ３４における下左側面部３２と正面側領域３６間の部分が切目線Ｋ３４−２となる。
【０２０２】
また、正面部１０においては、切目線Ｋ１４は、包装箱Ｃの展開状態において、切目線Ｋ２０の曲率と同じ曲率で円弧状に形成され（つまり、切目線Ｋ２０と切目線Ｋ１４とで１つの円弧状を呈している）、また、切目線Ｋ１５は、包装箱Ｃの展開状態において、切目線Ｋ３０の曲率と同じ曲率で円弧状に形成されている（つまり、切目線Ｋ３０と切目線Ｋ１５とで１つの円弧状を呈している）。
【０２０３】
なお、切目線Ｋ３０の背面側の端部の上下方向の位置は、切目線Ｋ４０の左側面側の端部の上下方向位置と一致しており、切目線Ｋ１０と切目線Ｋ２０と切目線Ｋ３０と切目線Ｋ４０とを有する切目線Ｋ５は、全体に周状に形成されている。
【０２０４】
また、実施例１、２の場合と比べて、背面部４０においては、切目線Ｋ４０が下側の位置にあり、その影響で、折れ線Ｃ４２、Ｃ４３の背面部４０の上辺に対する角度（鋭角）が、実施例１、２の場合と比べて大きくなっている。
【０２０５】
同様に、右側面部２０においては、折れ線Ｃ２１の右側面部２０の上辺に対する角度が、実施例１、２の場合に比べて大きくなっており、また、左側面部３０においては、折れ線Ｃ３１の左側面部３０の上辺に対する角度が、実施例１、２の場合に比べて大きくなっている。
【０２０６】
また、糊代部４９は、背面部４０の左側面側の辺部から折れ線を介して連設され（つまり、包装箱Ｃは、展開状態において、左側面部３０、正面部１０、右側面部２０、背面部４０、糊代部４９の順に連設されている）、糊代部４９には、切目線Ｋ４０から連設された切目線Ｋ４９が設けられている。また、糊代部４９には、背面側の上端の角部から形成された折れ線Ｃ４８が設けられ、折れ線Ｃ４８の背面部４０と糊代部４９間の折れ線に対する角度が、折れ線Ｃ３１の左側面部３０の背面側の辺部に対する角度と同一に形成され、包装箱Ｃの組立て状態において、折れ線Ｃ４８は折れ線Ｃ３１に沿って設けられる。
【０２０７】
また、底面部５０は、第１片部１６０と、第２片部１７０と、第３片部１８０と、第４片部１９０とを有し、包装箱Ｃの組立て状態においては、略方形状の外形を呈している。
【０２０８】
ここで、第１片部１６０は、正面部１０の下辺から折れ線を介して連設され、方形状（具体的には、長方形状）における先端側の一対の角部を斜めに面取りした形状を呈している。第１片部１６０の基端（正面部１０側の辺部）から先端（正面部１０側とは反対側の辺部）までの長さは、右側面部２０の横方向の長さ（折れ線Ｃ２０と折れ線Ｃ４０間の長さ））の半分の長さ（略半分の長さとしてもよい）を有し、包装箱Ｃを組み立てた状態では、第１片部１６０の先端と第４片部１９０の先端とが当接し、第１片部１６０と第４片部１９０とでスリーブ状部５の底面側を閉じるようになっている。
【０２０９】
また、第２片部１７０は、右側面部２０の下辺から折れ線を介して連設され、方形状（具体的には、長方形状）を呈している。第２片部１７０の基端（右側面部２０側の辺部）から先端（右側面部２０側とは反対側の辺部）までの長さは、正面部１０や背面部４０のの横方向の長さ（例えば、折れ線Ｃ２０と折れ線Ｃ３０間の長さ））の半分よりも小さく形成され、包装箱Ｃを組み立てた状態では、第２片部１７０の先端と第３片部１８０の先端の間には隙間が形成される。
【０２１０】
また、第３片部１８０は、左側面部３０の下辺から折れ線を介して連設され、第２片部１７０と同大同形状に形成され、方形状（具体的には、長方形状）を呈している。第３片部１８０の基端（左側面部３０側の辺部）から先端（左側面部３０側とは反対側の辺部）までの長さは、正面部１０や背面部４０のの横方向の長さ（例えば、折れ線Ｃ２０と折れ線Ｃ３０間の長さ））の半分よりも小さく形成され、包装箱Ｃを組み立てた状態では、第２片部１７０の先端と第３片部１８０の先端の間には隙間が形成される。
【０２１１】
また、第４片部１９０は、背面部４０の下辺から折れ線を介して連設され、第１片部１６０と同大同形状に形成され、方形状（具体的には、長方形状）における先端側の一対の角部を斜めに面取りした形状を呈している。第４片部１９０の基端（背面部４０側の辺部）から先端（背面部４０側とは反対側の辺部）までの長さは、右側面部２０の横方向の長さ（折れ線Ｃ２０と折れ線Ｃ４０間の長さ））の半分の長さ（略半分の長さとしてもよい）を有し、第１片部１６０の先端と第４片部１９０の先端とが当接し、第１片部１６０と第４片部１９０とでスリーブ状部５の底面側を閉じるようになっている。
【０２１２】
包装箱Ｃを組み立てた状態では、第１片部１６０と第４片部１９０は、第２片部１７０及び第３片部１８０の外側に設けられ、第１片部１６０の内側の面が、第２片部１７０及び第３片部１８０の面に接着され、第４片部１９０の内側の面が、第２片部１７０及び第３片部１８０の面に接着される（図２参照）。
【０２１３】
また、蓋部１２０、１３０とフラップ部１１０、１４０は、包装箱Ｃの展開状態において、底面部５０を構成する第１片部１６０〜第４片部１９０と線対称に形成されている。
【０２１４】
すなわち、蓋部１２０は、正面部１０の上辺から折れ線を介して連設され、方形状（具体的には、長方形状）における先端側の一対の角部を斜めに面取りした形状を呈している。蓋部１２０の基端（正面部１０側の辺部）から先端（正面部１０側とは反対側の辺部）までの長さは、右側面部２０の横方向の長さ（折れ線Ｃ２０と折れ線Ｃ４０間の長さ））の半分の長さ（略半分の長さとしてもよい）を有し、蓋部１２０と蓋部１３０を閉じることにより、蓋部１２０の先端と蓋部１３０の先端とが当接し、蓋部１２０と蓋部１３０とで包装箱Ｃを閉状態とする。
【０２１５】
また、フラップ部１１０は、右側面部２０の上辺から折れ線を介して連設され、方形状（具体的には、長方形状）を呈している。フラップ部１１０の基端（右側面部２０側の辺部）から先端（右側面部２０側とは反対側の辺部）までの長さは、正面部１０や背面部４０のの横方向の長さ（例えば、折れ線Ｃ２０と折れ線Ｃ３０間の長さ））の半分よりも小さく形成され、包装箱Ｃの上面を閉状態にした場合には、フラップ部１１０の先端とフラップ部１４０の先端の間には隙間が形成される。
【０２１６】
また、フラップ部１４０は、左側面部３０の上辺から折れ線を介して連設され、フラップ部１１０と同大同形状に形成され、方形状（具体的には、長方形状）を呈している。フラップ部１４０の基端（左側面部３０側の辺部）から先端（左側面部３０側とは反対側の辺部）までの長さは、正面部１０や背面部４０のの横方向の長さ（例えば、折れ線Ｃ２０と折れ線Ｃ３０間の長さ））の半分よりも小さく形成され、包装箱Ｃの上面を閉状態にした場合には、フラップ部１１０の先端とフラップ部１４０の先端の間には隙間が形成される。
【０２１７】
また、蓋部１３０は、背面部４０の上辺から折れ線を介して連設され、蓋部１２０と同大同形状に形成され、方形状（具体的には、長方形状）における先端側の一対の角部を斜めに面取りした形状を呈している。第４片部１９０の基端（背面部４０側の辺部）から先端（背面部４０側とは反対側の辺部）までの長さは、右側面部２０の横方向の長さ（折れ線Ｃ２０と折れ線Ｃ４０間の長さ））の半分の長さ（略半分の長さとしてもよい）を有し、蓋部１２０と蓋部１３０を閉じることにより、蓋部１２０の先端と蓋部１３０の先端とが当接し、蓋部１２０と蓋部１３０とで包装箱Ｃを閉状態とする。
【０２１８】
以上のように、これら蓋部１２０、１３０とフラップ部１１０、１４０は、包装箱Ｃの上面を開閉するものであり、特に、蓋部１２０、１３０を閉状態とすることにより包装箱Ｃの上面が塞がれる。なお、蓋部１２０、１３０とフラップ部１１０、１４０は、予め上方に立設した状態になっていて、包装箱Ｃの上方が開口した状態になっている。なお、蓋部１２０、１３０は、正面部１０の上辺及び背面部４０の上辺から連設されているが、包装箱Ｃの上面を閉じるための蓋部は、スリーブ状部５を構成する各部における少なくとも１つの上辺から連設されていればよい。
【０２１９】
包装箱Ｃの使用方法は、実施例１、２の包装箱の場合と同様であるが、被収納物を収納して包装箱Ｃを閉状態にするには、フラップ部１１０、１４０を内側に折曲させるとともに蓋部１２０、１３０を内側に折曲させて、蓋部１２０、１３０を閉状態とし、接着テープＴを右側面部２０から上面を経て左側面部３０にまで接着させることにより、図２０に示す状態とする。
【０２２０】
なお、上側構成部Ａ−２を取り除くには、実施例１の場合と同様な操作を行い、下背面部４２における押さえ部（「押し部」としてもよい。他においても同じ）４４を外側から押して、中央領域４６の下端を外側にひっぱることにより、右側領域４７が中央領域４６に対して折れ線Ｃ４２を介して折曲するとともに、左側領域４８が中央領域４６に対して折れ線Ｃ４３を介して折曲して、切目線Ｋ４２、Ｋ４３が破断し、さらに、背面側領域２７が折れ線Ｃ２１を介して内側に回動して切目線Ｋ２４−１が破断するとともに、背面側領域３７が折れ線Ｃ３１を介して内側に回動して切目線Ｋ３４−１が破断し、さらに、中央領域の下端を上方にひっぱることにより、切目線Ｋ２４における折れ線Ｃ２１よりも正面側の領域である正面側領域２６と下右側面部２２間の切目線Ｋ２４−２が破断するとともに、切目線Ｋ３４における折れ線Ｃ３１よりも正面側の領域である正面側領域３６と下左側面部３２間の切目線Ｋ３４−２が破断し、さらに、切目線Ｋ２０における切目線Ｋ２４よりも正面側の切目線Ｋ２２と切目線Ｋ３０における切目線Ｋ３４よりも正面側の切目線Ｋ３２を破断し、さらに、切目線Ｋ１０を破断することにより、上側構成部Ａ−２が取り除かれる。
【実施例４】
【０２２１】
次に、実施例４の包装箱Ｄは、図２１に示すように構成され、実施例３の包装箱Ｃと略同様の構成であるが、切目線Ｋ２０と切目線Ｋ３０の構成が異なる。
【０２２２】
すなわち、切目線Ｋ２０においては、第２切目線主構成部としての切目線Ｋ２４は、背面側から正面側にいくに従い上方となるように曲線状に形成され、上側に膨出する略円弧状に形成され、正面側にいくに従い、右側面部２０の底面部側の辺部に対する傾斜角度が小さくなっている（つまり、該曲線状をなす曲線における接線の右側面部２０の底面部側の辺部に対する角度が、正面側にいくに従い小さくなる）。
【０２２３】
また、第２切目線副構成部としての切目線Ｋ２２は、切目線Ｋ２４の正面側の端部（正面側の端部が切目線Ｋ２４における最上端となる）から連設され、背面側から正面側にいくに従い下方となるように曲線状に形成され、下側に膨出する略円弧状に形成され、正面側にいくに従い、右側面部２０の底面部側の辺部に対する傾斜角度が小さくなっている（つまり、該曲線状をなす曲線における接線の右側面部２０の底面部側の辺部に対する角度が、正面側にいくに従い小さくなる）。
【０２２４】
また、切目線Ｋ３０は、切目線Ｋ２０と対称に形成されている（包装箱Ｄの組立て状態では、面対称、包装箱Ｃの展開状態では、線対称に形成されている）。
【０２２５】
上記以外の構成は、実施例３の場合と同様であるので詳しい説明を省略する。
【実施例５】
【０２２６】
次に、実施例５の包装箱Ｅは、図２２に示すように構成され、実施例３、４の包装箱と略同様であるが、展開状態において、右側面部２０、背面部４０、左側面部３０、正面部１０、糊代部４９の順に連設されているが、背面部４０における下背面部４２の上下方向の長さが、正面部１０における下正面部１２の上下方向の長さよりも短く形成され、特に、実施例１〜実施例４では、正面部１０の下正面部１２の上下方向の最小長さが、背面部４０の下背面部４２の上下方向の最大長さよりも短く形成されているのに対して、本実施例では、正面部１０の下正面部１２の上下方向の最小長さが、背面部４０の下背面部４２の上下方向の最大長さよりも長く形成されている。
【０２２７】
つまり、下正面部１２よりも下背面部４２が低く形成されていて、被収納物を陳列するに際しては、背面部４０側を正面側（手前側）にして陳列を行なう。
【０２２８】
背面部４０は、実施例３、４の場合と同様の構成であるが、切目線Ｋ４０の上下方向の位置が、実施例３、４の場合に比べて下側にあり、その影響で、折れ線Ｃ４２、Ｃ４３の背面部４０の上辺に対する角度（鋭角）が、実施例３、４の場合と比べて大きくなっている。
【０２２９】
また、右側面部２０における切目線Ｋ２０は、背面側の端部から正面側の端部まで正面側にいくほど上側となるように右側面部２０の下辺や上辺に対して傾斜して形成され、切目線Ｋ２０は直線状に形成されている。正面側領域２６と背面側領域２７間に形成された折れ線Ｃ２１の右側面部２０の上辺に対する角度（鋭角）は、実施例３、４の場合と比べて大きくなっている。切目線Ｋ２０は、下右側面部２２と背面側領域２７間の部分である切目線Ｋ２４−１と、切目線Ｋ２４−１よりも正面側の部分（下右側面部２２と正面側領域２６間の部分）である切目線Ｋ２４−２とを有している。
【０２３０】
また、上記各実施例の場合と同様に、切目線Ｋ２４−１の前後方向の長さは、右側面部２０の前後方向の長さの略１／３となっている。切目線Ｋ２４−１は、切目線Ｋ２０において、下右側面部２２と背面側領域２７間の部分である。
【０２３１】
また、左側面部３０における切目線Ｋ３０は、切目線Ｋ２０と対称に形成され（包装箱Ｃの組立て状態では、面対称、包装箱Ｃの展開状態では、線対称に形成されている）、背面側の端部から正面側の端部まで正面側にいくほど上側となるように左側面部３０の下辺や上辺に対して傾斜して形成され、切目線Ｋ３０は直線状に形成されている。切目線Ｋ３０は、下左側面部３２と背面側領域３７間の部分である切目線Ｋ３４−１と、切目線Ｋ３４−１よりも正面側の部分（下左側面部３２と正面側領域３６間の部分）である切目線Ｋ３４−２とを有している。
【０２３２】
また、正面部１０における切目線Ｋ１０は、左右方向（正面部１０の下辺や上辺と平行）に直線状に形成され、正面部１０における切目線Ｋ１０よりも下側の下正面部１２の上下方向の長さは、背面部４０における切目線Ｋ４０よりも下側の下背面部４２の上下方向の長さ（最大長さ）よりも長く形成され、下正面部１２の上下方向の長さは、少なくとも、下背面部４２の上下方向の長さ（最小長さ）よりも長く形成されている。
【０２３３】
糊代部４９には、切目線Ｋ４０から連設された切目線Ｋ４９が設けられている。切目線Ｋ４９は、包装箱Ｅの展開状態において、切目線Ｋ１０の延長線上に直線状に形成されている。
【０２３４】
なお、左側面部Ｋ２０の正面側の端部の上下方向の位置は、切目線Ｋ１０の右側面側の端部の上下方向位置と一致しており、切目線Ｋ１０と切目線Ｋ２０と切目線Ｋ３０と切目線Ｋ４０とを有する切目線Ｋ５は、全体に周状に形成されている。
【０２３５】
なお、切目線Ｋ２０、Ｋ３０は直線状であるとしたが、正面側にいくに従い上側となる曲線状であってもよく、例えば、正面側にいくに従い右側面部２０や左側面部３０の下辺に対する傾斜角度が大きくなる曲線状（例えば、斜め下向きに膨出した円弧状）としてもよく、また、正面側にいくに従い右側面部２０や左側面部３０の下辺に対する傾斜角度が小さくなる曲線状（例えば、斜め上向きに膨出した円弧状）としてもよい。
【０２３６】
なお、上側構成部Ａ−２を取り除くには、実施例１の場合と同様な操作を行い、下背面部４２における押さえ部４４を外側から押して、中央領域４６の下端を外側にひっぱることにより、右側領域４７が中央領域４６に対して折れ線Ｃ４２を介して折曲するとともに、左側領域４８が中央領域４６に対して折れ線Ｃ４３を介して折曲して、切目線Ｋ４２、Ｋ４３が破断し、さらに、背面側領域２７が折れ線Ｃ２１を介して内側に回動して切目線Ｋ２４−１が破断するとともに、背面側領域３７が折れ線Ｃ３１を介して内側に回動して切目線Ｋ３４−１が破断し、さらに、中央領域の下端を上方にひっぱることにより、切目線Ｋ２０における折れ線Ｃ２１よりも正面側の領域である正面側領域２６と下右側面部２２間の切目線Ｋ２４−２が破断するとともに、切目線Ｋ３０における折れ線Ｃ３１よりも正面側の領域である正面側領域３６と下左側面部３２間の切目線Ｋ３４−２が破断し、さらに、切目線Ｋ１０を破断することにより、上側構成部Ａ−２が取り除かれる。
【０２３７】
なお、被収納物の陳列に際しては、下背面部４２が下正面部１２よりも低く形成されているので、下背面部４２側を手前側として陳列する。つまり、実施例１〜実施例４においては、下正面部１２側を手前側として被収納物を陳列するのに対して、本実施例では、下背面部４２側を手前側として陳列する。なお、被収納物を陳列する状態において、下背面部４２に押さえ部４４は残存したままとなる。
【実施例６】
【０２３８】
次に、実施例６の包装箱Ｆは、図２３に示すように構成され、実施例５の包装箱と略同様であるが、切目線Ｋ２０と切目線Ｋ３０の構成が異なる。
【０２３９】
すなわち、切目線Ｋ２０は、背面側の端部から正面側にいくほど上側に傾斜した直線状の切目線Ｋ２０−１と、切目線Ｋ２０−１の正面側の端部から連設され、正面側にいくほど上側に傾斜した直線状を呈し、切目線Ｋ２０−１よりも右側面部２０の下辺の方向に対する傾斜角度が大きい切目線Ｋ２０−２と、切目線Ｋ２０−２の正面側の端部から連設され、右側面部２０の下辺と略平行に形成された切目線Ｋ２０−３とを有した形状となっている。
【０２４０】
また、切目線Ｋ２０は、下右側面部２２と背面側領域２７間の部分である切目線Ｋ２４−１と、切目線Ｋ２４−１よりも正面側の部分（下右側面部２２と正面側領域２６間の部分）である切目線Ｋ２４−２とを有しており、切目線Ｋ２０−１において背面側の端部から正面側の端部までの途中位置までの部分が切目線Ｋ２４−１となり、切目線Ｋ２０−１の該途中位置から正面側の端部までの部分と切目線Ｋ２０−２と切目線Ｋ２０−３とで切目線Ｋ２４−２が構成される。
【０２４１】
切目線Ｋ２０においては、切目線Ｋ２０−１と切目線Ｋ２０−２とが正面側にいくほど上側となるように形成されており、切目線Ｋ２０−１と切目線Ｋ２０−２とで切目線Ｋ２４（第２切目線主構成部）が構成される。
【０２４２】
また、切目線Ｋ３０は、下右側面部３２と背面側領域３７間の部分である切目線Ｋ３４−１と、切目線Ｋ３４−１よりも正面側の部分（下右側面部３２と正面側領域３６間の部分）である切目線Ｋ３４−２とを有しており、切目線Ｋ３０−１において背面側の端部から正面側の端部までの途中位置までの部分が切目線Ｋ３４−１となり、切目線Ｋ３０−１の該途中位置から正面側の端部までの部分と切目線Ｋ３０−２と切目線Ｋ３０−３とで切目線Ｋ２４−２が構成される。
【０２４３】
切目線Ｋ３０においては、切目線Ｋ３０−１と切目線Ｋ３０−２とが正面側にいくほど上側となるように形成されており、切目線Ｋ３０−１と切目線Ｋ３０−２とで切目線Ｋ３４（第３切目線主構成部）が構成される。
【０２４４】
なお、実施例５の場合と同様に、正面部１０における切目線Ｋ１０は、左右方向（正面部１０の下辺や上辺と平行）に直線状に形成され、正面部１０における切目線Ｋ１０よりも下側の下正面部１２の上下方向の長さは、背面部４０における切目線Ｋ４０よりも下側の下背面部４２の上下方向の長さ（最大長さ）よりも長く形成され、下正面部１２の上下方向の長さは、少なくとも、下背面部４２の上下方向の長さ（最小長さ）よりも長く形成されている。
【０２４５】
また、左側面部Ｋ２０の正面側の端部の上下方向の位置は、切目線Ｋ１０の右側面側の端部の上下方向位置と一致しており、切目線Ｋ１０と切目線Ｋ２０と切目線Ｋ３０と切目線Ｋ４０とを有する切目線Ｋ５は、全体に周状に形成されている。
【０２４６】
上側構成部Ａ−２を取り除く際の操作は、実施例５の場合と同様であり、被収納物の陳列に際しては、実施例５と同様に、下背面部４２が下正面部１２よりも低く形成されているので、下背面部４２側を手前側として陳列する。つまり、実施例１〜実施例４においては、下正面部１２側を手前側として被収納物を陳列するのに対して、本実施例では、下背面部４２側を手前側として陳列する。なお、被収納物を陳列する状態において、下背面部４２に押さえ部４４は残存したままとなる。
【実施例７】
【０２４７】
次に、実施例７の包装箱Ｇは、図２４に示すように構成され、実施例３の包装箱Ｃと同様の構成であるが、背面部４０における一対の切目線Ｋ４４、Ｋ４５が異なる。
【０２４８】
すなわち、実施例３の包装箱Ｃにおいては、切目線Ｋ４４、Ｋ４５は、互いに平行で、ともに縦方向（背面部４０の下辺に対して直角の方向）に形成されているが、本実施例においては、切目線Ｋ４４、Ｋ４５は、背面部４０の下辺に対して傾斜して形成され、下方にいくほど切目線Ｋ４４と切目線Ｋ４５間の長さが短くなり、押さえ部４４が下方に向けて先細りのテーパ状に形成されていて、下辺が上辺よりも短い台形形状（等脚台形形状）となっている。なお、切目線Ｋ４４と切目線Ｋ４５は、背面部４０の下辺に直角な線（仮想線）を介して線対称に形成されている。これにより、押さえ部４４は、左右線対称の形状となっている。
【実施例８】
【０２４９】
次に、実施例８の包装箱Ｈは、図２５に示すように構成され、実施例３の包装箱Ｃと同様の構成であるが、実施例７における押さえ部４４が下方に向けて先細りのテーパ状であるのに対して、本実施例では、押さえ部４４が、上方に向けて先細りのテーパ状となっている。
【０２５０】
すなわち、切目線Ｋ４４、Ｋ４５は、背面部４０の下辺に対して傾斜して形成され、下方にいくほど切目線Ｋ４４と切目線Ｋ４５間の長さが長くなり、押さえ部４４が上方に向けて先細りのテーパ状に形成されていて、上辺が下辺よりも短い台形形状（等脚台形形状）となっている。なお、切目線Ｋ４４と切目線Ｋ４５は、背面部４０の下辺に直角な線（仮想線）を介して線対称に形成されている。これにより、押さえ部４４は、左右線対称の形状となっている。
【実施例９】
【０２５１】
次に、実施例９の包装箱Ｉは、図２６に示すように構成され、実施例３の包装箱Ｃと同様の構成であるが、背面部４０における一対の切目線Ｋ４４、Ｋ４５が異なる。
【０２５２】
すなわち、切目線Ｋ４４、Ｋ４５がともに円弧状を呈し、外側の膨出した円弧状を呈している。つまり、切目線Ｋ４４は、右側面側に膨出した円弧状を呈し、切目線Ｋ４５は、左側面側に膨出した円弧状を呈している。切目線Ｋ４４と切目線Ｋ４５は、背面部４０の下辺に直角な線（仮想線）を介して線対称に形成されている。これにより、押さえ部４４は、左右線対称の形状となっている。
【０２５３】
なお、切目線Ｋ４４の上端の左右方向の位置と下端の左右方向の位置は同じ位置となっており、切目線Ｋ４５の上端の左右方向の位置と下端の左右方向の位置は同じ位置となっている。これにより、押さえ部４４は、上下線対称の形状となっている。
【実施例１０】
【０２５４】
次に、実施例１０の包装箱Ｊは、図２７に示すように構成され、実施例３の包装箱Ｃと同様の構成であるが、実施例９における切目線Ｋ４４、Ｋ４５が外側に膨出した円弧状であるのに対して、本実施例では、切目線Ｋ４４、Ｋ４５が、内側に膨出した円弧状である点が異なる。
【０２５５】
すなわち、切目線Ｋ４４、Ｋ４５がともに円弧状を呈し、内側の膨出した円弧状を呈している。つまり、切目線Ｋ４４は、左側面側に膨出した円弧状を呈し、切目線Ｋ４５は、右側面側に膨出した円弧状を呈している。切目線Ｋ４４と切目線Ｋ４５は、背面部４０の下辺に直角な線（仮想線）を介して線対称に形成されている。これにより、押さえ部４４は、左右線対称の形状となっている。また、切目線Ｋ４４、Ｋ４５が内側に膨出した円弧状を呈するので、押さえ部４４は、上下方向の中央がくびれた形状となっている。
【０２５６】
なお、切目線Ｋ４４の上端の左右方向の位置と下端の左右方向の位置は同じ位置となっており、切目線Ｋ４５の上端の左右方向の位置と下端の左右方向の位置は同じ位置となっている。これにより、押さえ部４４は、上下線対称の形状となっている。
【実施例１１】
【０２５７】
次に、実施例１１の包装箱Ｋは、図２８に示すように構成され、実施例３の包装箱Ｃと同様の構成であるが、背面部４０における折れ線Ｃ４１の形状が異なる。
【０２５８】
すなわち、実施例３の包装箱Ｃにおいては、折れ線Ｃ４１は、左右方向の直線状に形成され、背面部４０の下辺や上辺に対して平行であるのに対して、本実施例では、折れ線Ｃ４１は、下方に膨出した円弧状を呈している。なお、本実施例における折れ線Ｃ４１は、左右線対称に形成されていて、これにより、押さえ部４４は、左右線対称の形状となっている。背面部４０の内側の面には、折れ線Ｃ４１に沿って罫線が形成されている。
【実施例１２】
【０２５９】
次に、実施例１２の包装箱Ｌは、図２９に示すように構成され、実施例３の包装箱Ｃと同様の構成であるが、実施例１１における折れ線Ｃ４１が下方に膨出した円弧状であるのに対して、本実施例では、折れ線線Ｃ４１が上方に膨出した円弧状である点が異なる。
【０２６０】
なお、折れ線Ｃ４１は、左右線対称に形成されていて、これにより、本実施例における押さえ部４４は、左右線対称の形状となっている。背面部４０の内側の面には、折れ線Ｃ４１に沿って罫線が形成されている。
【符号の説明】
【０２６１】
Ａ、Ｂ、Ｃ、Ｄ、Ｅ、Ｆ、Ｇ、Ｈ、Ｉ、Ｊ、Ｋ、Ｌ  包装箱
５  スリーブ状部
１０  正面部
１２  下正面部
１５  上正面部
２０  右側面部
２２  下右側面部
２５  上右側面部
２６、３６  正面側領域
２７、３７  背面側領域
３０  左側面部
３２  下左側面部
３５  上左側面部
４０  背面部
４２  下背面部
４３  下背面部本体
４４  押さえ部
４５  上背面部
４６  中央領域
４７  右側領域
４８  左側領域
５０  底面部
１１０、１４０  フラップ部
１２０、１３０  蓋部
２１０、２２０  切込み
Ａ−１  下側構成部
Ａ−２  上側構成部
Ｋ５、Ｋ１０、Ｋ１１、Ｋ１２、Ｋ１３、Ｋ１４、Ｋ１５、Ｋ２０、Ｋ２２、Ｋ２４、Ｋ２４−１、Ｋ２４−２、Ｋ３０、Ｋ３２、Ｋ３４、Ｋ３４−１、Ｋ３４−２、Ｋ４０、Ｋ４１、Ｋ４２、Ｋ４３、Ｋ４４、Ｋ４５、Ｋ５’、Ｋ１０’、Ｋ１１’、Ｋ１２’、Ｋ１３’、Ｋ１４’、Ｋ１５’、Ｋ２０’、Ｋ２２’、Ｋ２４’、Ｋ２４−１’、Ｋ３０’、Ｋ３２’、Ｋ３４’、Ｋ３４−１’、Ｋ４０’、Ｋ４１’、Ｋ４２’、Ｋ４３’  切目線
Ｃ２１、Ｃ３１、Ｃ４１、Ｃ４２、Ｃ４３  折れ線
【図１】
0006343265.tif 000002
【図２】
0006343265.tif 000003
【図３】
0006343265.tif 000004
【図４】
0006343265.tif 000005
【図５】
0006343265.tif 000006
【図６】
0006343265.tif 000007
【図７】
0006343265.tif 000008
【図８】
0006343265.tif 000009
【図９】
0006343265.tif 000010
【図１０】
0006343265.tif 000011
【図１１】
0006343265.tif 000012
【図１２】
0006343265.tif 000013
【図１３】
0006343265.tif 000014
【図１４】
0006343265.tif 000015
【図１５】
0006343265.tif 000016
【図１６】
0006343265.tif 000017
【図１７】
0006343265.tif 000018
【図１８】
0006343265.tif 000019
【図１９】
0006343265.tif 000020
【図２０】
0006343265.tif 000021
【図２１】
0006343265.tif 000022
【図２２】
0006343265.tif 000023
【図２３】
0006343265.tif 000024
【図２４】
0006343265.tif 000025
【図２５】
0006343265.tif 000026
【図２６】
0006343265.tif 000027
【図２７】
0006343265.tif 000028
【図２８】
0006343265.tif 000029
【図２９】
0006343265.tif 000030